(57)【特許請求の範囲】
【請求項１】
マルチメディア・ブロードキャスト／マルチキャストサービス（ＭＢＭＳ：Ｍｕｌｔｉｍｅｄｉａ  Ｂｒｏａｄｃａｓｔ  Ｍｕｌｔｉｃａｓｔ  Ｓｅｒｖｉｃｅ）制御方法であって、
ネットワークが、ＵＥからのアップリンクフィードバック情報を処理し、処理結果に応じて、ＭＢＭＳをアクティブ又は非アクティブにする判定を行うことを含み、
前記ネットワークがＵＥからのアップリンクフィードバック情報を処理することは、
ｅＮＢが、収集されたアップリンクフィードバック情報に基づいて、集計を行い、集計結果をマルチセル／マルチキャスト協調エンティティ（ＭＣＥ）に送信することであり、
前記ネットワークが前記処理結果に応じてＭＢＭＳをアクティブ又は又は非アクティブにする判定を行うことは、
ＭＣＥが、前記ｅＮＢからの集計結果に応じて、対応するＭＢＭＳをアクティブ又は非アクティブにする必要があるどうかを判定するか、又は、ＭＣＥが、さらに、前記集計結果を前記ＭＣＥのＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）に反映させ、前記ＭＣＥのＯＡＭにより、前記ｅＮＢからの集計結果に応じ、対応するＭＢＭＳをアクティブ又は非アクティブにする必要があるどうかを判定することであり、
又は、
前記ネットワークがＵＥからのアップリンクフィードバック情報を処理することは、
ｅＮＢが、収集されたアップリンクフィードバック情報に基づいて、集計を行い、
ｅＮＢが、前記集計結果に応じて、ＭＢＭＳをアクティブ又は非アクティブにする必要があるかどうかに対して予備判定を行うか、又は、ｅＮＢが、さらに、前記集計結果を前記ｅＮＢのＯＡＭに反映させ、前記ｅＮＢのＯＡＭにより、前記集計結果に応じて、ＭＢＭＳをアクティブ又は非アクティブにする必要があるかどうかに対して予備判定を行い、そして前記ｅＮＢが予備判定結果をＭＣＥに送信することであり、
前記ネットワークが前記処理結果に応じてＭＢＭＳをアクティブ又は非アクティブにする判定を行うことは、
ＭＣＥが、ｅＮＢからの予備判定結果に応じて、最終的にＭＢＭＳをアクティブ又は非アクティブにする必要があるかどうかを判定するか、又は、ＭＣＥが、さらに、ｅＮＢの予備判定結果を前記ＭＣＥのＯＡＭに反映させ、前記ＭＣＥのＯＡＭにより、ｅＮＢからの予備判定結果に応じて、最終的にＭＢＭＳをアクティブ又は非アクティブにする必要があるかどうかを判定することであり、
又は、
前記ネットワークがＵＥからのアップリンクフィードバック情報を処理することは、
ｅＮＢは、ＵＥからのアップリンクフィードバック情報をＭＣＥに転送するように構成され、ＭＣＥは、収集されたアップリンクフィードバック情報に基づいて集計を行い、
前記ネットワークが前記処理結果に応じてＭＢＭＳをアクティブ又は非アクティブにする判定を行うことは、
前記ＭＣＥは、集計結果に応じて、対応するＭＢＭＳをアクティブ又は非アクティブにする必要があるかどうかを判定するように構成されるか、又は、前記ＭＣＥは、集計結果を前記ＭＣＥのＯＡＭに反映させるように構成され、前記ＭＣＥのＯＡＭは、集計結果に応じて、対応するＭＢＭＳをアクティブ又は非アクティブにする必要があるかどうかを判定するように構成される
ことを特徴とするＭＢＭＳ制御方法。
【請求項２】
前記アップリンクフィードバック情報は、ＵＥが関与するＭＢＭＳ、又はＵＥが受信中のＭＢＭＳであり、
前記ｅＮＢが、収集されたアップリンクフィードバック情報に基づいて、集計を行うことは、
ＭＢＭＳに関与するＵＥの数／ＭＢＭＳを受信中のＵＥの数を集計することであり、
前記ＭＣＥが前記ｅＮＢからの集計結果に応じて、対応するＭＢＭＳをアクティブ又は非アクティブにする必要があるかどうかを判定することは、
各ｅＮＢからの前記ＭＢＭＳの集計結果を加算し、加算した値が対応する閾値以上である場合、対応するＭＢＭＳをアクティブにする必要があると判定し、加算した値が対応する閾値より小さい場合、対応するＭＢＭＳを非アクティブにする必要があると判定することであり、
前記ＭＣＥのＯＡＭが前記ｅＮＢからの集計結果に応じて、対応するＭＢＭＳをアクティブ又は非アクティブにする必要があるかどうかを判定することは、
ＯＡＭソフトウェア又は手動により、前記ｅＮＢからの集計結果に応じて、対応するＭＢＭＳをアクティブ又は非アクティブにする必要があるかどうかを判定することである
ことを特徴とする請求項１に記載のＭＢＭＳ制御方法。
【請求項３】
前記アップリンクフィードバック情報は、ＵＥが関与するＭＢＭＳ又はＵＥが受信中のＭＢＭＳであり、
前記ｅＮＢが、収集されたアップリンクフィードバック情報に基づいて、集計を行うことは、
ＭＢＭＳが関与するＵＥの数／ＭＢＭＳを受信中のＵＥの数を集計することであり、
前記ｅＮＢが前記集計結果に応じてＭＢＭＳをアクティブ又は非アクティブにする必要があるかどうかに対して予備判定を行うことは、
前記ＭＢＭＳの集計結果が対応する閾値以上である場合、対応するＭＢＭＳをアクティブにする必要があると判定し、ＭＢＭＳの集計結果が対応する閾値より小さい場合、対応するＭＢＭＳを非アクティブにする必要があると判定することであり、
前記ｅＮＢのＯＡＭが前記集計結果に応じてＭＢＭＳをアクティブ又は非アクティブにする必要があるかどうか予備判定を行うことは、
ＯＡＭソフトウェア又は手動により、前記集計結果に応じて、対応するＭＢＭＳをアクティブ又は非アクティブにする必要があるかどうか予備判定を行うことであり、
前記ＭＣＥがｅＮＢからの予備判定結果に応じて最終的に対応するＭＢＭＳをアクティブ又は非アクティブにする必要があるかどうかを判定することは、
ＭＣＥが、各ｅＮＢの前記ＭＢＭＳに対する予備判定結果に応じて、「アクティブにする必要がある」である予備判定結果のｅＮＢの数／割合が「非アクティブにする必要がある」である予備判定結果のｅＮＢの数／割合以上であると判定する場合、前記ＭＢＭＳをアクティブにする必要があると判定し、「アクティブにする必要がある」である予備判定結果のｅＮＢの数／割合が「非アクティブにする必要がある」である予備判定結果のｅＮＢの数／割合より小さいと判定する場合、前記ＭＢＭＳを非アクティブにする必要があると判定することであり、
前記ＭＣＥのＯＡＭがｅＮＢからの予備判定結果に応じて最終的に対応するＭＢＭＳをアクティブ又は非アクティブにする必要があるかどうかを判定することは、
ＯＡＭソフトウェア又は手動により、ｅＮＢからの予備判定結果に応じて、最終的に対応するＭＢＭＳをアクティブ又は非アクティブにする必要があるかどうかを判定することである
ことを特徴とする請求項１に記載のＭＢＭＳ制御方法。
【請求項４】
前記ネットワークが、ＭＢＭＳの判定結果に応じて、前記ＭＢＭＳをアクティブ又は非アクティブにする動作を行うことをさらに含む
ことを特徴とする請求項１に記載のＭＢＭＳ制御方法。
【請求項５】
ＭＢＭＳが送信中のＭＢＭＳである場合、前記ネットワークが、ＭＢＭＳの判定結果に応じて、前記ＭＢＭＳをアクティブ又は非アクティブにする動作を行うことは、
前記判定結果が非アクティブにする判定である場合、ＭＣＥがＭＭＥを介して判定結果をブロードキャスト・マルチキャストサービスセンター（ＢＭ−ＳＣ：Ｂｒｏａｄｃａｓｔ  Ｍｕｌｔｉｃａｓｔ  Ｓｅｒｖｉｃｅ  Ｃｅｎｔｒｅ）に送信し、ＢＭ−ＳＣが前記ＭＣＥからの判定結果を受信した後、前記ＭＢＭＳのＭＢＭＳセッション停止（Ｓｅｓｓｉｏｎ  Ｓｔｏｐ）プロセスを開始し、前記判定結果がアクティブにする判定である場合、ＭＣＥがＭＭＥを介して前記判定結果をＢＭ−ＳＣに送信し、ＢＭ−ＳＣが判定結果を受信した後に動作を行わない、又はＭＣＥが判定結果をＢＭ−ＳＣに送信せず、元のＭＢＭＳをそのまま送信することであり、
又は、
前記判定結果が非アクティブにする判定である場合、ＭＣＥが、ＭＢＭＳの、前記ＭＢＭＳを非アクティブにする指示情報を対応するｅＮＢに直接送信し、ｅＮＢが前記ＭＢＭＳの非アクティブにする指示情報を受信した後、無線インターフェースで対応するＭＢＭＳデータを送信することを中止し、前記判定結果がアクティブにする判定である場合、ＭＣＥが、前記ＭＢＭＳをアクティブにする指示情報を対応するｅＮＢに送信する、又は任意の情報を送信せず、ｅＮＢが、無線インターフェースで対応するＭＢＭＳデータを引き続き送信することである
ことを特徴とする請求項４に記載のＭＢＭＳ制御方法。
【請求項６】
ＭＢＭＳが、すでに開始しているが現在非アクティブである状態のＭＢＭＳである場合、前記ネットワークが、ＭＢＭＳの判定結果に応じて、前記ＭＢＭＳをアクティブ又は非アクティブにする動作を行うことは、
前記判定結果がアクティブにする判定である場合、ＭＣＥがＭＭＥを介して前記判定結果をＢＭ−ＳＣに送信し、ＢＭ−ＳＣがＭＣＥからの判定結果を受信した後、対応するＭＢＭＳのＭＢＭＳセッション開始（Ｓｅｓｓｉｏｎ  Ｓｔａｒｔ）プロセスを開始し、前記判定結果が非アクティブにする判定である場合、ＭＣＥがＭＭＥを介して非アクティブにする判定をＢＭ−ＳＣに送信し、ＢＭ−ＳＣが判定を受信した後に動作を行わず、元のＭＢＭＳを送信しない状態を維持し、又はＭＣＥが判定結果をＢＭ−ＳＣに送信せず、元のＭＢＭＳを送信しない状態を維持することであり、
又は、
前記判定結果がアクティブにする判定である場合、ＭＣＥが、前記ＭＢＭＳをアクティブにする指示情報を対応するｅＮＢに直接送信し、ｅＮＢが前記アクティブにする指示情報を受信した後、無線インターフェースで対応するＭＢＭＳデータを送信することを開始し、前記判定結果が非アクティブにする判定である場合、ＭＣＥが、前記ＭＢＭＳを非アクティブにする指示情報を対応するｅＮＢに送信し、又は任意の情報を送信せず、ｅＮＢが無線インターフェースで前記ＭＢＭＳデータを送信しないことである
ことを特徴とする請求項４に記載のＭＢＭＳ制御方法。
【請求項７】
ＭＢＭＳが、開始していないＭＢＭＳである場合、前記ネットワークが、ＭＢＭＳの判定結果に応じて、前記ＭＢＭＳをアクティブ又は非アクティブにする動作を行うことは、
ＭＣＥがＭＢＭＳの判定結果を記憶し、ＢＭ−ＳＣが前記ＭＢＭＳのＭＢＭＳセッション開始（Ｓｅｓｓｉｏｎ  Ｓｔａｒｔ）プロセスを開始する時に、前記ＭＣＥが、記憶された前記判定結果に応じて、前記ＭＢＭＳの搬送を確立するか、又は当該ＭＢＭＳの搬送を拒否することである
ことを特徴とする請求項４に記載のＭＢＭＳ制御方法。
【請求項８】
マルチメディア・ブロードキャスト／マルチキャストサービス（ＭＢＭＳ：Ｍｕｌｔｉｍｅｄｉａ  Ｂｒｏａｄｃａｓｔ  Ｍｕｌｔｉｃａｓｔ  Ｓｅｒｖｉｃｅ）制御に用いられるネットワークであって、
ＵＥからのアップリンクフィードバック情報を処理し、処理結果に応じてＭＢＭＳをアクティブ又は非アクティブにする判定を行うように構成され、
下記ＡからＧに記載の装置の組み合わせのうちのいずれか１つを含み、
Ａは、ｅＮＢ、ｅＮＢのＯＡＭ、ＭＣＥを含み、ここで、
前記ｅＮＢは、収集されたアップリンクフィードバック情報に基づいて集計を行い、集計結果を前記ｅＮＢのＯＡＭに送信するように構成され、
前記ｅＮＢのＯＡＭは、前記集計結果に応じてＭＢＭＳをアクティブ又は非アクティブにする必要があるかどうか予備判定を行い、前記ｅＮＢを介して予備判定結果をＭＣＥに送信するように構成され、
前記ＭＣＥは、ｅＮＢからの予備判定結果に応じて、最終的に対応するＭＢＭＳをアクティブ又は非アクティブにする必要があるかどうかを判定するように構成され、
Ｂは、ｅＮＢ、ＭＣＥ、ＭＣＥのＯＡＭを含み、ここで、
前記ｅＮＢは、収集されたアップリンクフィードバック情報に基づいて集計を行い、及び、集計結果に応じてＭＢＭＳをアクティブ又は非アクティブにする必要があるかどうか予備判定を行い、予備判定結果をＭＣＥに送信するように構成され、
前記ＭＣＥは、ｅＮＢの予備判定結果を前記ＭＣＥのＯＡＭに反映させるように構成され、
前記ＭＣＥのＯＡＭは、ｅＮＢからの予備判定結果に応じて、最終的に対応するＭＢＭＳをアクティブ又は非アクティブにする必要があるかどうかを判定するように構成され、
Ｃは、ｅＮＢ、ＭＣＥ、ＭＣＥのＯＡＭを含み、ここで、
前記ｅＮＢは、収集されたアップリンクフィードバック情報に基づいて集計を行い、集計結果をＭＣＥに送信するように構成され、
前記ＭＣＥは、前記集計結果を前記ＭＣＥのＯＡＭに反映させるようにさらに構成され、
前記ＭＣＥのＯＡＭは、前記ｅＮＢからの集計結果に応じて、対応するＭＢＭＳをアクティブ又は非アクティブにする必要があるかどうかを判定するように構成され、
Ｄは、ｅＮＢ、ＭＣＥ、ＭＣＥのＯＡＭを含み、ここで、
前記ｅＮＢは、ＵＥからのアップリンクフィードバック情報をＭＣＥに転送するように構成され、
前記ＭＣＥは、収集されたアップリンクフィードバック情報に基づいて集計を行い、集計結果をＭＣＥのＯＡＭに反映させるように構成され、
前記ＭＣＥのＯＡＭは、前記集計結果に応じて、対応するＭＢＭＳをアクティブ又は非アクティブにする必要があるかどうかを判定するように構成され、
Ｅは、ｅＮＢ、ＭＣＥを含み、ここで、
前記ｅＮＢは、収集されたアップリンクフィードバック情報に基づいて集計を行い、集計結果をＭＣＥに送信するように構成され、
前記ＭＣＥは、前記ｅＮＢからの集計結果に応じて、対応するＭＢＭＳをアクティブ又は非アクティブにする必要があるかどうかを判定するように構成され、
Ｆは、ｅＮＢ、ＭＣＥを含み、ここで、
前記ｅＮＢは、収集されたアップリンクフィードバック情報に基づいて集計を行い、及び、集計結果に応じてＭＢＭＳをアクティブ又は非アクティブにする必要があるかどうか予備判定を行い、予備判定結果をＭＣＥに送信するように構成され、
前記ＭＣＥは、ｅＮＢからの予備判定結果に応じて、最終的に対応するＭＢＭＳをアクティブ又は非アクティブにする必要があるかどうかを判定するように構成され、
Ｇは、ｅＮＢ、ＭＣＥを含み、ここで、
前記ｅＮＢは、ＵＥからのアップリンクフィードバック情報をＭＣＥに転送するように構成され、
前記ＭＣＥは、収集されたアップリンクフィードバック情報に基づいて集計を行い、前記集計結果に応じて、対応するＭＢＭＳをアクティブ又は非アクティブにする必要があるかどうかを判定するように構成される
ことを特徴とするネットワーク。
【請求項９】
判定結果に応じて、ＭＢＭＳをアクティブ又は非アクティブにするように更に構成される
ことを特徴とする請求項８に記載のネットワーク。
【請求項１０】
ＭＢＭＳの判定結果に応じて、前記ＭＢＭＳをアクティブ又は非アクティブにする動作を行うことは、
前記判定結果が非アクティブにする判定である場合、ＭＣＥがＭＭＥを介して判定結果をブロードキャスト・マルチキャストサービスセンター（ＢＭ−ＳＣ）に送信し、ＢＭ−ＳＣが前記ＭＣＥからの判定結果を受信した後、前記ＭＢＭＳのＭＢＭＳセッション停止（Ｓｅｓｓｉｏｎ  Ｓｔｏｐ）プロセスを開始し、前記判定結果がアクティブにする判定である場合、ＭＣＥがＭＭＥを介して前記判定結果をＢＭ−ＳＣに送信し、ＢＭ−ＳＣが判定結果を受信した後に動作を行わず、又はＭＣＥが判定結果をＢＭ−ＳＣに送信せず、元のＭＢＭＳをそのまま送信することであり、
又は、
前記判定結果が非アクティブにする判定である場合、ＭＣＥが、ＭＢＭＳの、前記ＭＢＭＳを非アクティブにする指示情報を対応するｅＮＢに直接送信し、ｅＮＢが前記ＭＢＭＳの非アクティブにする指示情報を受信した後、無線インターフェースで対応するＭＢＭＳデータを送信することを中止し、前記判定結果がアクティブにする判定である場合、ＭＣＥが、前記ＭＢＭＳをアクティブにする指示情報を対応するｅＮＢに送信し、又は任意の情報を送信せず、ｅＮＢが、無線インターフェースで対応するＭＢＭＳデータを引き続き送信することであり、
又は、
前記ネットワークが、ＭＢＭＳの判定結果に応じて、前記ＭＢＭＳをアクティブ又は非アクティブにする動作を行うことは、
前記判定結果がアクティブにする判定である場合、ＭＣＥがＭＭＥを介して前記判定結果をＢＭ−ＳＣに送信し、ＢＭ−ＳＣがＭＣＥからの判定結果を受信した後、対応するＭＢＭＳのＭＢＭＳセッション開始（Ｓｅｓｓｉｏｎ  Ｓｔａｒｔ）プロセスを開始し、前記判定結果が非アクティブにする判定である場合、ＭＣＥがＭＭＥを介して非アクティブにする判定をＢＭ−ＳＣに送信し、ＢＭ−ＳＣが判定を受信した後に動作を行わず、元のＭＢＭＳの送信しない状態を維持し、又はＭＣＥが判定結果をＢＭ−ＳＣに送信せず、元のＭＢＭＳの送信しない状態を維持することであり、
又は、
前記判定結果がアクティブにする判定である場合、ＭＣＥが、前記ＭＢＭＳをアクティブにする指示情報を対応するｅＮＢに直接送信し、ｅＮＢが前記アクティブにする指示情報を受信した後、無線インターフェースで対応するＭＢＭＳデータを送信することを開始し、前記判定結果が非アクティブにする判定である場合、ＭＣＥが、前記ＭＢＭＳを非アクティブにする指示情報を対応するｅＮＢに送信し、又は任意の情報を送信せず、ｅＮＢが無線インターフェースで前記ＭＢＭＳデータを送信しないことであり、
又は、
前記ネットワークが、ＭＢＭＳの判定結果に応じて、前記ＭＢＭＳをアクティブ又は非アクティブにする動作を行うことは、
ＭＣＥがＭＢＭＳの判定結果を記憶し、ＢＭ−ＳＣが前記ＭＢＭＳのＭＢＭＳセッション開始（Ｓｅｓｓｉｏｎ  Ｓｔａｒｔ）プロセスを開始する時に、前記ＭＣＥが、記憶された前記判定結果に応じて、前記ＭＢＭＳの搬送を確立する又は当該ＭＢＭＳの搬送を拒否することである
ことを特徴とする請求項８に記載のネットワーク。
【請求項１１】
ネットワークとＵＥを含む、マルチメディア・ブロードキャスト／マルチキャストサービス（ＭＢＭＳ：Ｍｕｌｔｉｍｅｄｉａ  Ｂｒｏａｄｃａｓｔ  Ｍｕｌｔｉｃａｓｔ  Ｓｅｒｖｉｃｅ）制御システムであって、  前記ネットワークは、ＵＥからのアップリンクフィードバック情報を処理し、前記処理結果に応じてＭＢＭＳをアクティブ又は非アクティブにする判定を行うように構成され、
下記ＡからＧに記載の装置の組み合わせのうちのいずれか１つを含み、
Ａは、ｅＮＢ、ｅＮＢのＯＡＭ、ＭＣＥを含み、ここで、
前記ｅＮＢは、収集されたアップリンクフィードバック情報に基づいて集計を行い、集計結果を前記ｅＮＢのＯＡＭに送信するように構成され、
前記ｅＮＢのＯＡＭは、前記集計結果に応じてＭＢＭＳをアクティブ又は非アクティブにする必要があるかどうか予備判定を行い、前記ｅＮＢを介して予備判定結果をＭＣＥに送信するように構成され、
前記ＭＣＥは、ｅＮＢからの予備判定結果に応じて、最終的に対応するＭＢＭＳをアクティブ又は非アクティブにする必要があるかどうかを判定するように構成され、
Ｂは、ｅＮＢ、ＭＣＥ、ＭＣＥのＯＡＭを含み、ここで、
前記ｅＮＢは、収集されたアップリンクフィードバック情報に基づいて集計を行い、及び、集計結果に応じてＭＢＭＳをアクティブ又は非アクティブにする必要があるかどうか予備判定を行い、予備判定結果をＭＣＥに送信するように構成され、
前記ＭＣＥは、ｅＮＢの予備判定結果を前記ＭＣＥのＯＡＭに反映させるように構成され、
前記ＭＣＥのＯＡＭは、ｅＮＢからの予備判定結果に応じて、最終的に対応するＭＢＭＳをアクティブ又は非アクティブにする必要があるかどうかを判定するように構成され、
Ｃは、ｅＮＢ、ＭＣＥ、ＭＣＥのＯＡＭを含み、ここで、
前記ｅＮＢは、収集されたアップリンクフィードバック情報に基づいて集計を行い、集計結果をＭＣＥに送信するように構成され、
前記ＭＣＥは、前記集計結果を前記ＭＣＥのＯＡＭに反映させるようにさらに構成され、
前記ＭＣＥのＯＡＭは、前記ｅＮＢからの集計結果に応じて、対応するＭＢＭＳをアクティブ又は非アクティブにする必要があるかどうかを判定するように構成され、
Ｄは、ｅＮＢ、ＭＣＥ、ＭＣＥのＯＡＭを含み、ここで、
前記ｅＮＢは、ＵＥからのアップリンクフィードバック情報をＭＣＥに転送するように構成され、
前記ＭＣＥは、収集されたアップリンクフィードバック情報に基づいて集計を行い、集計結果をＭＣＥのＯＡＭに反映させるように構成され、
前記ＭＣＥのＯＡＭは、前記集計結果に応じて、対応するＭＢＭＳをアクティブ又は非アクティブにする必要があるかどうかを判定するように構成され、
Ｅは、ｅＮＢ、ＭＣＥを含み、ここで、
前記ｅＮＢは、収集されたアップリンクフィードバック情報に基づいて集計を行い、集計結果をＭＣＥに送信するように構成され、
前記ＭＣＥは、前記ｅＮＢからの集計結果に応じて、対応するＭＢＭＳをアクティブ又は非アクティブにする必要があるかどうかを判定するように構成され、
Ｆは、ｅＮＢ、ＭＣＥを含み、ここで、
前記ｅＮＢは、収集されたアップリンクフィードバック情報に基づいて集計を行い、及び、集計結果に応じてＭＢＭＳをアクティブ又は非アクティブにする必要があるかどうか予備判定を行い、予備判定結果をＭＣＥに送信するように構成され、
前記ＭＣＥは、ｅＮＢからの予備判定結果に応じて、最終的に対応するＭＢＭＳをアクティブ又は非アクティブにする必要があるかどうかを判定するように構成され、
Ｇは、ｅＮＢ、ＭＣＥを含み、ここで、
前記ｅＮＢは、ＵＥからのアップリンクフィードバック情報をＭＣＥに転送するように構成され、
前記ＭＣＥは、収集されたアップリンクフィードバック情報に基づいて集計を行い、前記集計結果に応じて、対応するＭＢＭＳをアクティブ又は非アクティブにする必要があるかどうかを判定するように構成される
ことを特徴とするＭＢＭＳ制御システム。
【請求項１２】
ＭＢＭＳの判定結果に応じて前記ＭＢＭＳをアクティブ又は非アクティブにする動作を行うように構成される
ことを特徴とする請求項１１に記載のＭＢＭＳ制御システム。
【請求項１３】
ＭＣＥ、ＭＭＥ、ＢＭ−ＳＣを含み、ここで、
前記ＭＣＥは、ＭＭＥを介して判定結果をＢＭ−ＳＣに送信し、又は、判定結果をＢＭ−ＳＣに送信しないように構成され、
前記ＢＭ−ＳＣは、前記ＭＣＥからの判定結果を受信した後、前記ＭＢＭＳのＭＢＭＳセッション停止（Ｓｅｓｓｉｏｎ  Ｓｔｏｐ）プロセスを開始し、又は、動作を行わないように構成され、
又は、
ＭＣＥ、ｅＮＢを含み、ここで、
前記ＭＣＥは、判定結果に応じて、対応するｅＮＢに指示情報を直接送信する又は指示情報を送信しないように構成され、
前記ｅＮＢは、前記指示情報に応じて、対応する動作を行う又は動作を行わないように構成され、
又は、
ＭＣＥ、ＢＭ−ＳＣを含み、ここで、
前記ＭＣＥは、ＭＢＭＳの判定結果を記憶し、ＢＭ−ＳＣが前記ＭＢＭＳのＭＢＭＳセッション開始（Ｓｅｓｓｉｏｎ  Ｓｔａｒｔ）プロセスを開始する時に、記憶された前記判定結果に応じて、前記ＭＢＭＳの搬送を確立する又は当該ＭＢＭＳの搬送を拒否するように構成される
ことを特徴とする請求項１２に記載のＭＢＭＳ制御システム。
【発明の詳細な説明】
【技術分野】
【０００１】
本発明は、マルチメディア・ブロードキャスト／マルチキャストサービス（ＭＢＭＳ：ＭｕｌｔｉｍｅｄｉａＢｒｏａｄｃａｔ  Ｍｕｌｔｉｃａｓｔ  Ｓｅｒｖｉｃｅ）分野に関し、特に、ＭＢＭＳ制御方法及びＭＢＭＳ制御システムに関する。
【背景技術】
【０００２】
インターネットが急速に発展し、また、大画面の多機能携帯電話が人気を博している。これに伴い、多数のモバイルデータマルチメディアサービス及び様々な高帯域幅のマルチメディアサービスが提供されている。このようなサービスとして、例えば、ビデオ会議、テレビ放送、ビデオオンデマンド、広告、オンライン教育、インタラクティブゲーム等がある。これらのサービスは、モバイルユーザの高いサービスニーズに応えるとともに、モバイルオペレータの新たな事業成長となる。モバイルデータマルチメディアサービスでは、複数のユーザが同時に同一データを受信可能であることが要求される。モバイルデータマルチメディアサービスは、一般的なデータサービスに比べて、データ量が大きく、継続時間が長く、時間遅延の影響を受けやすい等の特徴を有する。
【０００３】
モバイルネットワークリソースを有効活用するために、第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）によってマルチメディア・ブロードキャスト／マルチキャストサービス（ＭＢＭＳ：ＭｕｌｔｉｍｅｄｉａＢｒｏａｄｃａｔ  Ｍｕｌｔｉｃａｓｔ  Ｓｅｒｖｉｃｅ）が提案されている。ＭＢＭＳは、１つのデータソースから複数のターゲットにデータを転送する技術である。ＭＢＭＳは、これによって、ネットワーク（コアネットワーク及びアクセスネットワークを含む）リソースの共有を実現する。ＭＢＭＳにより、ネットワークリソース（特に無線インターフェースリソース）の利用率が向上する。３ＧＰＰにより規定されるＭＢＭＳは、低速のプレーンテキストメッセージ形式のブロードキャスト及びマルチキャストを実現可能とする。これだけなく、ＭＢＭＳは、高速のマルチメディアサービスのブロードキャスト及びマルチキャストも実現可能とし、多種のビデオ、オーディオ及びマルチメディアサービスを提供可能とする。明らかに、ＭＢＭＳは、モバイルデータ発展の将来的なトレンドとなる。また、ＭＢＭＳにより、第三世代移動通信技術（３Ｇ：３ｒｄ  Ｇｅｎｅｒａｔｉｏｎ）のサービス発展のビジョンがより明るいものとなる。
【０００４】
現在、ＬＴＥバージョン９（Ｒ９）システムには、ＭＢＭＳが導入され、ＬＴＥバージョン１０（Ｒ１０）で最適化されている。ＭＢＭＳは、システムにおいて必要な制御シグナリング（ＭＢＭＳ制御シグナルとも称される）とユーザデータ（ＭＢＭＳとも称される）を搬送する同時伝送により実現される。ここで、制御シグナルが受信側（例えば端末、ユーザ装置（ＵＥ：Ｕｓｅｒ  Ｅｑｕｉｐｍｅｎｔ））に対応する制御パラメータを通知し、対応する位置に移動して関与するＭＢＭＳ（即ち対応するユーザデータ）を受信するようにＵＥを指示する。
【０００５】
制御シグナルは、ＬＴＥ  Ｒ９、Ｒ１０システムにおいて、マルチキャスト制御チャネル（ＭＣＣＨ：Ｍｕｌｔｉｃａｓｔ  Ｃｏｎｔｒｏｌ  Ｃｈａｎｎｅｌ）、ブロードキャスト制御チャネル（ＢＣＣＨ：Ｂｒｏａｄｃａｓｔ  Ｃｏｎｔｒｏｌ  Ｃｈａｎｎｅｌ）及びＭＣＨスケジューリング情報（ＭＳＩ：ＭＣＨ  Ｓｃｈｅｄｕｌｉｎｇ  Ｉｎｆｏｒｍａｔｉｏｎ）によって伝送されている。ＭＢＭＳは、マルチキャストトラフィックチャネル（ＭＴＣＨ：Ｍｕｌｔｉｃａｓｔ  Ｔｒａｆｆｉｃ  Ｃｈａｎｎｅｌ）によって伝送されている。
【０００６】
ＭＢＭＳ制御シグナルとＭＢＭＳは、ＭＢＳＦＮエリア（ＭＢＳＦＮ  Ａｒｅａ）で伝送されており、ＭＢＳＦＮエリアは、一連のセルによって構成され、一般的に、発展型基地局ノード（ｅＮＢ）によって制御された１つ以上のセルを含む。図１は従来のＭＢＳＦＮエリアの論理構成を示す図であり、図１に示すように、当該ＭＢＳＦＮエリア（円の中のようなもの）は、１９個のセルを含み、ここで、ｅＮＢ１がセル１、セル２、・・・、セル６を制御し、ｅＮＢ２がセル７、セル８、・・・、セル１３を制御し、ｅＮＢ３がセル１４、セル１５、・・・、セル１９を制御する。
【０００７】
従来技術において、ＭＢＳＦＮエリア（図１に円の中の１９個セルによって構成された１つのＭＢＳＦＮエリア）において、制御シグナルとユーザデータを送信することを考えて、セル又はｅＮＢを単位としてＭＢＳＦＮ技術で同期送信（ＵＥが、受信する時に、対応する結合ゲインを取得できることを目的とする）を行い、ＭＢＳＦＮ技術は、ＭＢＳＦＮエリアにおける各セルが同じ時間周波数リソース上で同じデータ内容を送信する必要があり、こうすると各セルのリソースに対して統一的なスケジューリングと企画を行うことが必要である。現在、マルチセル／マルチキャスト協調エンティティ（ＭＣＥ：Ｍｕｌｔｉ  ｃｅｌｌ／Ｍｕｌｔｉｃａｓｔ  Ｃｏｏｒｄｉｎａｔｉｏｎ  Ｅｎｔｉｔｙ）ネットワークエレメントを利用して無線リソースの統一的なスケジューリングと企画を行っていて、具体的に、国際標準３ＧＰＰ  ３６．３００ｖ９１０を参照してよい。
【０００８】
図２は従来のＭＢＭＳ制御システムの構成を示す図であり、図２に示すように、既存のシステムにおいて、ＭＢＭＳに関わるネットワークエレメントは、ｅＮＢ、ＭＣＥ、ＭＢＭＳゲートウェイ（ＭＢＭＳ  ＧＷ）、ブロードキャスト・マルチキャストサービスセンター（ＢＭ−ＳＣ：Ｂｒｏａｄｃａｓｔ  Ｍｕｌｔｉｃａｓｔ  Ｓｅｒｖｉｃｅ  Ｃｅｎｔｒｅ）及びモビリティ管理エンティティ（ＭＭＥ：Ｍｏｂｉｌｉｔｙ  Ｍａｎａｇｅｍｅｎｔ  Ｅｎｔｉｔｙ）があり、ここで、ＢＭ−ＳＣは、セッション開始（Ｓｅｓｓｉｏｎ  Ｓｔａｒｔ）、セッション停止（Ｓｅｓｓｉｏｎ  Ｓｔｏｐ）、セッション更新（Ｓｅｓｓｉｏｎ  Ｕｐｄａｔｅｄ）又はＭＢＭＳデータを提供するネットワークエレメントとされ、ＭＢＭＳゲートウェイは、ＭＢＭＳデータをＭ１インターフェースを介して対応するｅＮＢに送信し、ＭＢＭＳゲートウェイは、Ｓｍインターフェースを介してＢＭ−ＳＣにより生成された制御プレーン情報（例えばＳｅｓｓｉｏｎ  Ｓｔａｒｔ  ｍｅｓｓａｇｅ、Ｓｅｓｓｉｏｎ  Ｓｔｏｐ  ｍｅｓｓａｇｅ、Ｓｅｓｓｉｏｎ  Ｕｐｄａｔｅｄ  ｍｅｓｓａｇｅ）をＭＭＥに送信し、ＭＭＥは、完全に１つの転送ネットワークエレメントとされ、ＭＢＭＳゲートウェイからの制御プレーン情報をＭ３インターフェースを介してＭＣＥに転送し、ＭＣＥは、対応する制御プレーン情報を対応するｅＮＢに送信し、このような処理により、ｅＮＢは、ＭＢＭＳデータと対応する制御プレーン情報を取得する。
【０００９】
ここで、ネットワークエレメントの配置管理を容易にするために、ネットワークエレメントにｅＮＢとｅＮＢのＯＡＭ、ＭＣＥとＭＣＥのＯＡＭ等のような運用管理およびメンテナンス（ＯＡＭ：Ｏｐｅｒａｔｉｏｎ、  Ａｄｍｉｎｉｓｔｒａｔｉｏｎ  ａｎｄ  Ｍａｉｎｔｅｎａｎｃｅ）ユニットを導入し、ＯＡＭユニットにより、ネットワーク管理者（例えば事業者ネットワーク管理者）が対応するネットワークエレメントに対して状態確認、判定、パラメータ設定等の一連の配置管理操作を容易に行うことができ、ヒューマン・コンピュータ・インタラクティブと操作メンテナンス機能を実現する。
【００１０】
以下、ネットワークが如何にＭＢＭＳを送信することを例として、ＭＢＭＳセッション開始過程（ＭＢＭＳ  Ｓｅｓｓｉｏｎ  Ｓｔａｒｔ  ｐｒｏｃｅｄｕｒｅ）を説明し、図３は従来技術でＭＢＭＳを送信するフローチャートであり、図３に示すように、ＭＢＭＳの送信（又は搬送と呼ばれる）は、ＢＭ−ＳＣによって開始されるものであり、ＢＭ−ＳＣがＭＭＥにＭＢＭＳセッション開始要求メッセージ（ＭＢＭＳ  Ｓｅｓｓｉｏｎ  Ｓｔａｒ  Ｒｅｑｕｅｓｔ  ｍｅｓｓａｇｅ）を送信し、ここで、送信されたＭＢＭＳの制御パラメータが含まれ、ＭＭＥがこの要求メッセージをＭＣＥに転送し、ＭＣＥがこの時に無線インターフェースで当該ＭＢＭＳを送信できるかどうかに応じて判定し（判定の根拠は無線インターフェースリソースが十分であるかどうか）、そして判定結果に応じてＭＭＥにＭＢＭＳセッション開始応答メッセージ（ＭＢＭＳ  Ｓｅｓｓｉｏｎ  Ｓｔａｒｔ  Ｒｅｓｐｏｎｓｅ  ｍｅｓｓａｇｅ）を返し、当該メッセージにＭＭＥの判定結果が含まれ、判定結果が当該ＭＢＭＳを搬送できないことであると、当該フローが終了し、当該判定結果が当該ＭＢＭＳを搬送できることであると、ＭＣＥがそれに関わるｅＮＢにＭＢＭＳセッション開始要求メッセージを送信し、ｅＮＢが要求メッセージに応じて、エアインタフェース（ｅＮＢからＵＥまでのインターフェース）でＭＢＭＳを搬送するように準備し、且つｅＮＢがＭＥＣにＭＢＭＳセッション開始応答メッセージを返し、最後に、ｅＮＢが無線インターフェースでＭＢＭＳセッション開始要求メッセージ（ＭＢＭＳ  ｎｏｔｉｆｉｃａｔｉｏｎと更新されたＭＣＣＨ形式で示される）を送信する。その後、ｅＮＢが無線インターフェースでＭＢＭＳデータを送信開始し、こうして１つのＭＢＭＳの搬送が完了された。更なる詳細内容は、３ＧＰＰ  ３６．３００プロトコルを参考してよい。
【００１１】
上記内容により、明らかに、ＭＢＭＳがＭＢＳＦＮエリア全体において送信される。さらにＭＢＭＳの送信を最適化するために、業界においてＵＥアップリンクフィードバックメカニズムを導入しようとし、具体的には、アップリンクフィードバックメカニズムは、主にネットワーク側が各ＭＢＭＳ関与するユーザ数／ＭＢＭＳを受信中のユーザ数（又はＵＥの数）を取得することに応用され、ネットワーク側がユーザ数を取得することでＭＢＭＳの送信を最適化し、例えば、関与するユーザ数／受信中のユーザ数が少ないＭＢＭＳを非アクティブにしたり（ｄｅａｃｔｉｖａｔｉｏｎ、又は送信しないと呼ばれる）、関与するユーザ数／受信中のユーザ数が多いＭＢＭＳをアクティブにしたり（ａｃｔｉｖａｔｉｏｎ、又は送信すると呼ばれる）する。ネットワーク側があるＭＢＭＳの関与するＵＥの数／受信中のＵＥの数（又はあり／なし）を取得するために、ｃｏｕｎｔｉｎｇコマンド（計数コマンド）を送信することで、当該ＭＢＭＳに関与するＵＥ／ＭＢＭＳを受信中のＵＥがアップリンクフィードバックを行い、当該ＵＥの現在のＭＢＭＳの受信状態を通知する。ネットワーク側がアップリンクフィードバックを介して取得した情報（即ちあるＭＢＭＳに関与するＵＥの数／ＭＢＭＳを受信中のＵＥの数）を、当該ＭＢＭＳをアクティブ（ａｃｔｉｖａｔｉｏｎ）又は非アクティブ（ｄｅａｃｔｉｖａｔｉｏｎ）にする動作を応用する。また、ネットワーク側がアップリンクフィードバックを介して取得した情報に応じて当該ＭＢＭＳが無線インターフェースで送信するか（ａｃｔｉｖａｔｉｏｎ）送信しないか（ｄｅａｃｔｉｖａｔｉｏｎ）を判定できる。
【００１２】
しかし、ＵＥが無線インターフェース（ＵＥからｅＮＢまで）で、その関与するＭＢＭＳ／その受信中のＭＢＭＳをｅＮＢに報告した後、ネットワーク側が如何に受信した報告情報に応じてＭＢＭＳをアクティブ又は非アクティブにする制御を行うことには、従来技術においていかなる実現可能な方法が提供されていない。
【発明の概要】
【発明が解決しようとする課題】
【００１３】
これを鑑みて、本発明の主な目的は、ＵＥからのアップリンクフィードバック情報に応じてＭＢＭＳをアクティブ又は非アクティブにする制御を行うことができ、それによってシステムの効率を向上させるようなＭＢＭＳ制御方法及びＭＢＭＳ制御システムを提供することにある。
【課題を解決するための手段】
【００１４】
前記目的を実現するために、本発明の技術案は以下のように実現される。
【００１５】
マルチメディア・ブロードキャスト／マルチキャスト制御方法は、
ネットワーク側が、ＵＥからのアップリンクフィードバック情報を処理し、前記処理結果に応じて、ＭＢＭＳをアクティブ又は非アクティブにする判定を行うことを含む。
【００１６】
前記ネットワーク側がＵＥからのアップリンクフィードバック情報を処理することは、ｅＮＢが、収集されたアップリンクフィードバック情報に基づいて、集計を行い、集計結果をマルチセル／マルチキャスト協調エンティティＭＣＥに送信することである。
【００１７】
前記ネットワーク側が前記処理結果に応じてＭＢＭＳをアクティブ又は非アクティブにする判定を行うことは、ＭＣＥが前記ｅＮＢからの集計結果に応じて、対応するＭＢＭＳをアクティブ又は非アクティブにする必要があるどうかを判定するか、又は、ＭＣＥが、さらに、前記集計結果を前記ＭＣＥのＯＡＭに反映させ、前記ＭＣＥのＯＡＭにより、前記ｅＮＢからの集計結果に応じて、対応するＭＢＭＳをアクティブ又は非アクティブにする必要があるどうかを判定することである。
【００１８】
前記アップリンクフィードバック情報は、ＵＥが関与するＭＢＭＳ、又はＵＥが受信中のＭＢＭＳである。
【００１９】
前記ｅＮＢが収集されたアップリンクフィードバック情報に基づいて、集計を行うことは、ＭＢＭＳに関与するＵＥの数／ＭＢＭＳを受信中のＵＥの数を集計することである。
【００２０】
前記ＭＣＥが前記ｅＮＢからの集計結果に応じて、対応するＭＢＭＳをアクティブ又は非アクティブにする必要があるかどうかを判定することは、各ｅＮＢからの前記ＭＢＭＳの集計結果を加算し、加算した値が対応する閾値以上である場合、対応するＭＢＭＳをアクティブにする必要があると判定し、加算した値が対応する閾値より小さい場合、対応するＭＢＭＳを非アクティブにする必要があると判定することである。
【００２１】
前記ＭＣＥのＯＡＭが前記ｅＮＢからの集計結果に応じて、対応するＭＢＭＳをアクティブ又は非アクティブにする必要があるかどうかを判定することは、ＯＡＭソフトウェア又は手動により、前記ｅＮＢからの集計結果に応じて、対応するＭＢＭＳをアクティブ又は非アクティブにする必要があるかどうかを判定することである。
【００２２】
前記ネットワーク側がＵＥからのアップリンクフィードバック情報を処理することは、
ｅＮＢが、収集されたアップリンクフィードバック情報に基づいて、集計を行い、
ｅＮＢが、前記集計結果に応じて、ＭＢＭＳをアクティブ又は非アクティブにする必要があるかどうか予備判定を行うか、又は、ｅＮＢが、さらに、前記集計結果を前記ｅＮＢのＯＡＭに反映させ、前記ｅＮＢのＯＡＭにより、前記集計結果に応じて、ＭＢＭＳをアクティブ又は非アクティブにする必要があるかどうか予備判定を行い、そして前記ｅＮＢにより、予備判定結果をＭＣＥに送信することである。
【００２３】
前記ネットワーク側が前記処理結果に応じてＭＢＭＳをアクティブ又は非アクティブにすることは、ＭＣＥが、ｅＮＢからの予備判定結果に応じて、最終的にＭＢＭＳをアクティブ又は非アクティブにする必要があるかどうかを判定するか、又は、ＭＣＥが、さらに、ｅＮＢの予備判定結果を前記ＭＣＥのＯＡＭに反映させ、前記ＭＣＥのＯＡＭにより、ｅＮＢからの予備判定結果に応じて、最終的にＭＢＭＳをアクティブ又は非アクティブにする必要があるかどうかを判定することである。
【００２４】
前記アップリンクフィードバック情報は、ＵＥが関与するＭＢＭＳ、又はＵＥが受信中のＭＢＭＳである。
【００２５】
前記ｅＮＢが、収集されたアップリンクフィードバック情報に基づいて、集計を行うことは、ＭＢＭＳに関与するＵＥの数／ＭＢＭＳを受信中のＵＥの数を集計する。
【００２６】
前記ｅＮＢが前記集計結果に応じてＭＢＭＳをアクティブ又は非アクティブにする必要があるかどうか予備判定を行うことは、前記ＭＢＭＳの集計結果が対応する閾値以上である場合、対応するＭＢＭＳをアクティブにする必要があると判定し、ＭＢＭＳの集計結果が対応する閾値より小さい場合、対応するＭＢＭＳを非アクティブにする必要があると判定することである。
【００２７】
前記ｅＮＢのＯＡＭが前記集計結果に応じてＭＢＭＳをアクティブ又は非アクティブにする必要があるかどうか予備判定を行うことは、ＯＡＭソフトウェア又は手動により、前記集計結果に応じて、対応するＭＢＭＳをアクティブ又は非アクティブにする必要があるかどうか予備判定を行うことである。
【００２８】
前記ＭＣＥがｅＮＢからの予備判定結果に応じて最終的に対応するＭＢＭＳをアクティブ又は非アクティブにする必要があるかどうかを判定することは、ＭＣＥが、各ｅＮＢの前記ＭＢＭＳに対する予備判定結果に応じて、「アクティブにする必要がある」である予備判定結果のｅＮＢの数／割合が「非アクティブにする必要がある」である予備判定結果のｅＮＢの数／割合以上であると判定する場合、前記ＭＢＭＳをアクティブにする必要があると判定し、「アクティブにする必要がある」である予備判定結果のｅＮＢの数／割合が「非アクティブにする必要がある」である予備判定結果のｅＮＢの数／割合より小さいと判定する場合、前記ＭＢＭＳを非アクティブにする必要があると判定することである。
【００２９】
前記ＭＣＥのＯＡＭがｅＮＢからの予備判定結果に応じて最終的に対応するＭＢＭＳをアクティブ又は非アクティブにする必要があるかどうかを判定することは、ＯＡＭソフトウェア又は手動により、ｅＮＢからの予備判定結果に応じて、最終的に対応するＭＢＭＳをアクティブ又は非アクティブにする必要があるかどうかを判定することである。
【００３０】
前記ネットワーク側がＵＥからのアップリンクフィードバック情報を処理することは、
ｅＮＢがＵＥからのアップリンクフィードバック情報をＭＣＥに転送し、
ＭＣＥが、収集されたアップリンクフィードバック情報に基づいて、集計を行うことである。
【００３１】
前記ネットワーク側が前記処理結果に応じてＭＢＭＳをアクティブ又は非アクティブにする判定を行うことは、ＭＣＥが、前記集計結果に応じて、対応するＭＢＭＳをアクティブ又は非アクティブにする必要があるかどうかを判定するか、又は、ＭＣＥが、さらに、集計結果を前記ＭＣＥのＯＡＭに反映させ、前記ＭＣＥのＯＡＭにより、前記集計結果に応じて、対応するＭＢＭＳをアクティブ又は非アクティブにする必要があるかどうかを判定することである。
【００３２】
前記アップリンクフィードバック情報は、ＵＥが関与するＭＢＭＳ、又はＵＥが受信中のＭＢＭＳである。
【００３３】
前記ＭＣＥが、収集されたアップリンクフィードバック情報に基づいて、集計を行うことは、ＭＢＭＳに関与するＵＥの数／ＭＢＭＳを受信中のＵＥの数を集計することである。
【００３４】
前記ＭＣＥが集計結果に応じて、対応するＭＢＭＳをアクティブ又は非アクティブにする必要があるかどうかを判定することは、前記ＭＢＭＳの集計結果が対応する閾値以上である場合、対応するＭＢＭＳをアクティブにする必要があると判定し、ＭＢＭＳの集計結果が対応する閾値より小さい場合、対応するＭＢＭＳを非アクティブにする必要があると判定することである。
【００３５】
前記ＭＣＥのＯＡＭが前記集計結果に応じて、対応するＭＢＭＳをアクティブ又は非アクティブにする必要があるかどうかを判定することは、ＯＡＭソフトウェア又は手動により、前記集計結果に応じて、対応するＭＢＭＳをアクティブ又は非アクティブにする必要があるかどうかを判定することである。
【００３６】
ＭＢＭＳ制御方法は、ネットワーク側が、ＭＢＭＳの判定結果に応じて、前記ＭＢＭＳをアクティブ又は非アクティブにする動作を行うことを含む。
【００３７】
ＭＢＭＳが送信中のＭＢＭＳである場合、前記ネットワーク側が、ＭＢＭＳの判定結果に応じて、前記ＭＢＭＳをアクティブ又は非アクティブにする動作を行うことは、
前記判定結果が非アクティブにする判定である場合、ＭＣＥがＭＭＥを介して判定結果をブロードキャスト・マルチキャストサービスセンター（ＢＭ−ＳＣ）に送信し、ＢＭ−ＳＣがＭＣＥからの判定結果を受信した後、対応するＭＢＭＳのＭＢＭＳセッション停止プロセスを開始し、前記判定結果がアクティブにする判定である場合、ＭＣＥがＭＭＥを介して前記判定結果をＢＭ−ＳＣに送信し、ＢＭ−ＳＣが判定結果を受信した後に動作を行わず、又はＭＣＥが判定結果をＢＭ−ＳＣに送信せず、元のＭＢＭＳをそのまま送信することであり、
又は、
前記判定結果が非アクティブにする判定である場合、ＭＣＥが、ＭＢＭＳの、前記ＭＢＭＳを非アクティブにする指示情報を対応するｅＮＢに直接送信し、ｅＮＢが前記ＭＢＭＳの非アクティブにする指示情報を受信した後、無線インターフェースで対応するＭＢＭＳデータを送信することを中止し、前記判定結果がアクティブにする判定である場合、ＭＣＥが、前記ＭＢＭＳをアクティブにする指示情報を対応するｅＮＢに送信し、又は任意の情報を送信せず、ｅＮＢが、無線インターフェースで対応するＭＢＭＳデータを引き続き送信することである。
【００３８】
ＭＢＭＳが、すでに開始しているが現在非アクティブである状態のＭＢＭＳである場合、前記ネットワーク側が、ＭＢＭＳの判定結果に応じて、前記ＭＢＭＳをアクティブ又は非アクティブにする動作を行うことは、
前記判定結果がアクティブにする判定である場合、ＭＣＥがＭＭＥを介して前記判定結果をＢＭ−ＳＣに送信し、ＢＭ−ＳＣがＭＣＥからの判定結果を受信した後、対応するＭＢＭＳのＭＢＭＳセッション開始プロセスを開始し、前記判定結果が非アクティブにする判定である場合、ＭＣＥがＭＭＥを介して非アクティブにする判定をＢＭ−ＳＣに送信し、ＢＭ−ＳＣが判定を受信した後に動作を行わず、元のＭＢＭＳの送信しない状態を維持し、又はＭＣＥが判定結果をＢＭ−ＳＣに送信せず、元のＭＢＭＳの送信しない状態を維持することであり、
又は、
前記判定結果がアクティブにする判定である場合、ＭＣＥが、前記ＭＢＭＳをアクティブにする指示情報を対応するｅＮＢに直接送信し、ｅＮＢが前記アクティブにする指示情報を受信した後、無線インターフェースで対応するＭＢＭＳデータを送信することを開始し、前記判定結果が非アクティブにする判定である場合、ＭＣＥが、前記ＭＢＭＳを非アクティブにする指示情報を対応するｅＮＢに送信し、又は任意の情報を送信せず、ｅＮＢが無線インターフェースで前記ＭＢＭＳデータを送信しないことである。
【００３９】
ＭＢＭＳが、開始していないＭＢＭＳである場合、前記ネットワーク側が、ＭＢＭＳの判定結果に応じて、前記ＭＢＭＳをアクティブ又は非アクティブにする動作を行うことは、
ＭＣＥがＭＢＭＳの判定結果を記憶し、ＢＭ−ＳＣが前記ＭＢＭＳのＭＢＭＳセッション開始プロセスを開始する時、前記ＭＣＥが、記憶された前記判定結果に応じて、前記ＭＢＭＳの搬送を確立するか、又は当該ＭＢＭＳの搬送を拒否することである。
【００４０】
マルチメディア・ブロードキャスト／マルチキャストサービスＭＢＭＳ制御方法は、
ネットワーク側が、ＵＥからのアップリンクフィードバック情報を処理し、前記処理結果に応じて、ＭＢＭＳをアクティブ又は非アクティブにする判定を行うステップと、
ネットワーク側が、前記判定結果に応じて、前記ＭＢＭＳをアクティブ又は非アクティブにする動作を行うステップとを含む。
【００４１】
前記ネットワーク側がＵＥからのアップリンクフィードバック情報を処理することは、ｅＮＢが、収集されたアップリンクフィードバック情報に基づいて、集計を行い、集計結果をマルチセル／マルチキャスト協調エンティティＭＣＥに送信することである。
【００４２】
前記ネットワーク側が前記処理結果に応じてＭＢＭＳをアクティブ又は非アクティブにする判定を行うことは、ＭＣＥが前記ｅＮＢからの集計結果に応じて、対応するＭＢＭＳをアクティブ又は非アクティブにする必要があるどうかを判定するか、又は、ＭＣＥが、さらに、集計結果をＭＣＥのＯＡＭに反映させ、前記ＭＣＥのＯＡＭにより、ｅＮＢからの集計結果に応じて、対応するＭＢＭＳをアクティブ又は非アクティブにする必要があるどうかを判定することである。
【００４３】
前記ネットワーク側がＵＥからのアップリンクフィードバック情報を処理することは、
ｅＮＢが、収集されたアップリンクフィードバック情報に基づいて、集計を行い、
ｅＮＢが、前記集計結果に応じて、ＭＢＭＳをアクティブ又は非アクティブにする必要があるかどうか予備判定を行うか、又は、ｅＮＢが、さらに、前記集計結果を前記ｅＮＢのＯＡＭに反映させ、前記ｅＮＢのＯＡＭにより、前記集計結果に応じて、ＭＢＭＳをアクティブ又は非アクティブにする必要があるかどうか予備判定を行い、そして前記ｅＮＢにより、予備判定結果をＭＣＥに送信することである。
【００４４】
前記ネットワーク側が前記処理結果に応じてＭＢＭＳをアクティブ又は非アクティブにする判定を行うことは、ＭＣＥが、ｅＮＢからの予備判定結果に応じて、最終的にＭＢＭＳをアクティブ又は非アクティブにする必要があるかどうかを判定するか、又は、ＭＣＥが、さらに、ｅＮＢの予備判定結果を前記ＭＣＥのＯＡＭに反映させ、前記ＭＣＥのＯＡＭにより、ｅＮＢからの予備判定結果に応じて、最終的にＭＢＭＳをアクティブ又は非アクティブにする必要があるかどうかを判定することである。
【００４５】
前記ネットワーク側がＵＥからのアップリンクフィードバック情報を処理することは、
ｅＮＢがＵＥからのアップリンクフィードバック情報をＭＣＥに転送し、
ＭＣＥが、収集されたアップリンクフィードバック情報に基づいて、集計を行うことである。
【００４６】
前記ネットワーク側が前記処理結果に応じてＭＢＭＳをアクティブ又は非アクティブにする判定を行うことは、ＭＣＥが、前記集計結果に応じて、対応するＭＢＭＳをアクティブ又は非アクティブにする必要があるかどうかを判定するか、又は、ＭＣＥが、さらに、集計結果を前記ＭＣＥのＯＡＭに反映させ、前記ＭＣＥのＯＡＭにより、前記集計結果に応じて、対応するＭＢＭＳをアクティブ又は非アクティブにする必要があるかどうかを判定することである。
【００４７】
ＭＢＭＳが送信中のＭＢＭＳである場合、前記ネットワーク側が、ＭＢＭＳの判定結果に応じて、前記ＭＢＭＳをアクティブ又は非アクティブにする動作を行うことは、
前記判定結果が非アクティブにする判定である場合、ＭＣＥがＭＭＥを介して判定結果をブロードキャスト・マルチキャストサービスセンターＢＭ−ＳＣに送信し、ＢＭ−ＳＣが前記ＭＣＥからの判定結果を受信した後、前記ＭＢＭＳのＭＢＭＳセッション停止プロセスを開始し、前記判定結果がアクティブにする判定である場合、ＭＣＥがＭＭＥを介して前記判定結果をＢＭ−ＳＣに送信し、ＢＭ−ＳＣが判定結果を受信した後に動作を行わず、又はＭＣＥが判定結果をＢＭ−ＳＣに送信せず、元のＭＢＭＳをそのまま送信し、
又は、
前記判定結果が非アクティブにする判定である場合、ＭＣＥが、ＭＢＭＳの、前記ＭＢＭＳを非アクティブにする指示情報を対応するｅＮＢに直接送信し、ｅＮＢが前記ＭＢＭＳの非アクティブにする指示情報を受信した後、無線インターフェースで対応するＭＢＭＳデータを送信することを中止し、前記判定結果がアクティブにする判定である場合、ＭＣＥが、前記ＭＢＭＳをアクティブにする指示情報を対応するｅＮＢに送信し、又は任意の情報を送信せず、ｅＮＢが、無線インターフェースで対応するＭＢＭＳデータを引き続き送信することである。
【００４８】
ＭＢＭＳが、すでに開始しているが現在非アクティブである状態のＭＢＭＳである場合、前記ネットワーク側が、ＭＢＭＳの判定結果に応じて、前記ＭＢＭＳをアクティブ又は非アクティブにする動作を行うことは、
前記判定結果がアクティブにする判定である場合、ＭＣＥがＭＭＥを介して前記判定結果をＢＭ−ＳＣに送信し、ＢＭ−ＳＣがＭＣＥからの判定結果を受信した後、対応するＭＢＭＳのＭＢＭＳセッション開始プロセスを開始し、前記判定結果が非アクティブにする判定である場合、ＭＣＥがＭＭＥを介して非アクティブにする判定をＢＭ−ＳＣに送信し、ＢＭ−ＳＣが判定を受信した後に動作を行わず、元のＭＢＭＳの送信しない状態を維持し、又はＭＣＥが判定結果をＢＭ−ＳＣに送信せず、元のＭＢＭＳの送信しない状態を維持し、
又は、
前記判定結果がアクティブにする判定である場合、ＭＣＥが、前記ＭＢＭＳをアクティブにする指示情報を対応するｅＮＢに直接送信し、ｅＮＢが前記アクティブにする指示情報を受信した後、無線インターフェースで対応するＭＢＭＳデータを送信することを開始し、前記判定結果が非アクティブにする判定である場合、ＭＣＥが、前記ＭＢＭＳを非アクティブにする指示情報を対応するｅＮＢに送信し、又は任意の情報を送信せず、ｅＮＢが無線インターフェースで前記ＭＢＭＳデータを送信しないことである。
【００４９】
ＭＢＭＳが、開始していないＭＢＭＳである場合、前記ネットワーク側が、ＭＢＭＳの判定結果に応じて、前記ＭＢＭＳをアクティブ又は非アクティブにする動作を行うことは、
ＭＣＥがＭＢＭＳの判定結果を記憶し、ＢＭ−ＳＣが前記ＭＢＭＳのＭＢＭＳセッション開始プロセスを開始する時、前記ＭＣＥが、記憶された前記判定結果に応じて、前記ＭＢＭＳの搬送を確立するか、又は当該ＭＢＭＳの搬送を拒否することである。
【００５０】
ＭＢＭＳ制御システムは、ネットワーク側とＵＥを含み、ここで、
前記ネットワーク側は、ＵＥからのアップリンクフィードバック情報を処理し、前記処理結果に応じてＭＢＭＳをアクティブ又は非アクティブにする判定を行うように構成される。
【００５１】
前記ネットワーク側は、ｅＮＢ、ＭＣＥを含み、ここで、
前記ｅＮＢは、収集されたアップリンクフィードバック情報に基づいて、集計を行い、集計結果をＭＣＥに送信するように構成され、
前記ＭＣＥは、前記ｅＮＢからの集計結果に応じて、対応するＭＢＭＳをアクティブ又は非アクティブにする必要があるかどうかを判定するように構成される。
【００５２】
前記ネットワーク側は、ｅＮＢ、ＭＣＥ、ＭＣＥのＯＡＭを含み、ここで、
前記ｅＮＢは、収集されたアップリンクフィードバック情報に基づいて、集計を行い、集計結果をＭＣＥに送信するように構成され、
前記ＭＣＥは、前記集計結果を前記ＭＣＥのＯＡＭに反映させるようにさらに構成され、
前記ＭＣＥのＯＡＭは、前記ｅＮＢからの集計結果に応じて、対応するＭＢＭＳをアクティブ又は非アクティブにする必要があるかどうかを判定するように構成される。
【００５３】
前記ネットワーク側は、ｅＮＢ、ＭＣＥを含み、ここで、
前記ｅＮＢは、収集されたアップリンクフィードバック情報に基づいて、集計を行い、及び、前記集計結果に応じてＭＢＭＳをアクティブ又は非アクティブにする必要があるかどうかを予備判定を行い、予備判定結果をＭＣＥに送信するように構成され、
前記ＭＣＥは、ｅＮＢからの予備判定結果に応じて、最終的に対応するＭＢＭＳをアクティブ又は非アクティブにする必要があるかどうかを判定するように構成される。
【００５４】
前記ネットワーク側は、ｅＮＢ、ｅＮＢのＯＡＭ、ＭＣＥを含み、ここで、
前記ｅＮＢは、収集されたアップリンクフィードバック情報に基づいて、集計を行い、前記集計結果を前記ｅＮＢのＯＡＭに送信するように構成され、
前記ｅＮＢのＯＡＭは、前記集計結果に応じてＭＢＭＳをアクティブ又は非アクティブにする必要があるかどうかを予備判定を行い、前記ｅＮＢを介して予備判定結果をＭＣＥに送信するように構成され、
前記ＭＣＥは、ｅＮＢからの予備判定結果に応じて、最終的に対応するＭＢＭＳをアクティブ又は非アクティブにする必要があるかどうかを判定するように構成される。
【００５５】
前記ネットワーク側は、ｅＮＢ、ＭＣＥ、ＭＣＥのＯＡＭを含み、ここで、
前記ｅＮＢは、収集されたアップリンクフィードバック情報に基づいて、集計を行い、及び、前記集計結果に応じてＭＢＭＳをアクティブ又は非アクティブにする必要があるかどうかを予備判定を行い、予備判定結果をＭＣＥに送信するように構成され、
前記ＭＣＥは、ｅＮＢの予備判定結果を前記ＭＣＥのＯＡＭに反映させるように構成され、
前記ＭＣＥのＯＡＭは、ｅＮＢからの予備判定結果に応じて、最終的に対応するＭＢＭＳをアクティブ又は非アクティブにする必要があるかどうかを判定するように構成される。
【００５６】
前記ネットワーク側は、ｅＮＢ、ＭＣＥを含み、ここで、
前記ｅＮＢは、ＵＥからのアップリンクフィードバック情報をＭＣＥに転送するように構成され、
前記ＭＣＥは、収集されたアップリンクフィードバック情報に基づいて、集計を行い、前記集計結果に応じて、対応するＭＢＭＳをアクティブ又は非アクティブにする必要があるかどうかを判定するように構成される。
【００５７】
前記ネットワーク側は、ｅＮＢ、ＭＣＥ、ＭＣＥのＯＡＭを含み、ここで、
前記ｅＮＢは、ＵＥからのアップリンクフィードバック情報をＭＣＥに転送するように構成され、
前記ＭＣＥは、収集されたアップリンクフィードバック情報に基づいて、集計を行い、前記集計結果をＭＣＥのＯＡＭに反映させるように構成され、
前記ＭＣＥのＯＡＭは、前記集計結果に応じて、対応するＭＢＭＳをアクティブ又は非アクティブにする必要があるかどうかを判定するように構成される。
【００５８】
ＭＢＭＳ制御システムは、ＭＢＭＳの判定結果に応じて前記ＭＢＭＳをアクティブ又は非アクティブにする動作を行うように構成される。
【００５９】
当該システムは、具体的に、ＭＣＥ、ＭＭＥ、ＢＭ−ＳＣを含み、ここで、
前記ＭＣＥは、ＭＭＥを介して判定結果をＢＭ−ＳＣに送信し、又は、判定結果をＢＭ−ＳＣに送信しないように構成され、
前記ＢＭ−ＳＣは、前記ＭＣＥからの判定結果を受信した後、前記ＭＢＭＳのＭＢＭＳセッション停止プロセスを開始し、又は、動作を行わないように構成される。
【００６０】
当該システムは、具体的に、ＭＣＥ、ｅＮＢを含み、ここで、
前記ＭＣＥは、判定結果に応じて、対応するｅＮＢに指示情報を直接送信する又は指示情報を送信しないように構成され、
前記ｅＮＢは、前記指示情報に応じて、対応する動作を行う又は動作を行わないように構成される。
【００６１】
当該システムは、具体的に、ＭＣＥ、ＢＭ−ＳＣを含み、ここで、
前記ＭＣＥは、ＭＢＭＳの判定結果を記憶し、ＢＭ−ＳＣが前記ＭＢＭＳのＭＢＭＳセッション開始プロセスを開始する時、記憶された前記判定結果に応じて、前記ＭＢＭＳの搬送を確立するか、又は当該ＭＢＭＳの搬送を拒否するように構成される。
【００６２】
ＭＢＭＳ制御システムは、ネットワーク側とＵＥを含み、ここで、
前記ネットワーク側は、ＵＥからのアップリンクフィードバック情報を処理し、前記処理結果に応じてＭＢＭＳをアクティブ又は非アクティブにする判定を行い、及び、前記判定結果に応じて前記ＭＢＭＳをアクティブ又は非アクティブにする動作を行うように構成される。
【００６３】
前記ネットワーク側が、ＵＥからのアップリンクフィードバック情報を処理し、前記処理結果に応じて、ＭＢＭＳをアクティブ又は非アクティブにする判定を行うことは、
ｅＮＢが、収集されたアップリンクフィードバック情報に基づいて、集計を行い、集計結果をマルチセル／マルチキャスト協調エンティティＭＣＥに送信し、ＭＣＥが前記ｅＮＢからの集計結果に応じて、対応するＭＢＭＳをアクティブ又は非アクティブにする必要があるどうかを判定するか、又は、ＭＣＥが、さらに、前記集計結果を前記ＭＣＥのＯＡＭに反映させ、前記ＭＣＥのＯＡＭにより、前記ｅＮＢからの集計結果に応じて、対応するＭＢＭＳをアクティブ又は非アクティブにする必要があるどうかを判定し、
又は、ｅＮＢが、収集されたアップリンクフィードバック情報に基づいて、集計を行い、ｅＮＢが、前記集計結果に応じて、ＭＢＭＳをアクティブ又は非アクティブにする必要があるかどうか予備判定を行うか、又は、ｅＮＢが、さらに、前記集計結果を前記ｅＮＢのＯＡＭに反映させ、前記ｅＮＢのＯＡＭにより、前記集計結果に応じて、ＭＢＭＳをアクティブ又は非アクティブにする必要があるかどうか予備判定を行い、そして前記ｅＮＢにより、予備判定結果をＭＣＥに送信し、ＭＣＥがｅＮＢからの予備判定結果に応じて、最終的に対応するＭＢＭＳをアクティブ又は非アクティブにする必要があるかどうかを判定するか、又は、ＭＣＥがさらに、ｅＮＢの予備判定結果を前記ＭＣＥのＯＡＭに反映させ、前記ＭＣＥのＯＡＭにより、ｅＮＢからの予備判定結果に応じて、最終的にＭＢＭＳをアクティブ又は非アクティブにする必要があるかどうかを判定し、
又は、ｅＮＢがＵＥからのアップリンクフィードバック情報をＭＣＥに転送し、ＭＣＥが、収集されたアップリンクフィードバック情報に基づいて、集計を行い、ＭＣＥが、前記集計結果に応じて、対応するＭＢＭＳをアクティブ又は非アクティブにする必要があるかどうかを判定するか、又は、ＭＣＥがさらに、集計結果を前記ＭＣＥのＯＡＭに反映させ、前記ＭＣＥのＯＡＭにより、前記集計結果に応じて、対応するＭＢＭＳをアクティブ又は非アクティブにする必要があるかどうかを判定することである。
【００６４】
前記ネットワーク側が、ＭＢＭＳの判定結果に応じて、前記ＭＢＭＳをアクティブ又は非アクティブにする動作を行うことは、前記判定結果が非アクティブにする判定である場合、ＭＣＥがＭＭＥを介して判定結果をブロードキャスト・マルチキャストサービスセンター（ＢＭ−ＳＣ）に送信し、ＢＭ−ＳＣが前記ＭＣＥからの判定結果を受信した後、前記ＭＢＭＳのＭＢＭＳセッション停止プロセスを開始し、前記判定結果がアクティブにする判定である場合、ＭＣＥがＭＭＥを介して前記判定結果をＢＭ−ＳＣに送信し、ＢＭ−ＳＣが判定結果を受信した後に動作を行わず、又はＭＣＥが判定結果をＢＭ−ＳＣに送信せず、元のＭＢＭＳをそのままで送信し、
又は、
前記判定結果が非アクティブにする判定である場合、ＭＣＥが、ＭＢＭＳの、前記ＭＢＭＳを非アクティブにする指示情報を対応するｅＮＢに直接送信し、ｅＮＢが前記ＭＢＭＳの非アクティブにする指示情報を受信した後、無線インターフェースで対応するＭＢＭＳデータを送信することを中止し、前記判定結果がアクティブにする判定である場合、ＭＣＥが、前記ＭＢＭＳをアクティブにする指示情報を対応するｅＮＢに送信し、又は任意の情報を送信せず、ｅＮＢが、無線インターフェースで対応するＭＢＭＳデータを引き続き送信することである。
【００６５】
前記ネットワーク側が、ＭＢＭＳの判定結果に応じて、前記ＭＢＭＳをアクティブ又は非アクティブにする動作を行うことは、
前記判定結果がアクティブにする判定である場合、ＭＣＥがＭＭＥを介して前記判定結果をＢＭ−ＳＣに送信し、ＢＭ−ＳＣがＭＣＥからの判定結果を受信した後、対応するＭＢＭＳのＭＢＭＳセッション開始プロセスを開始し、前記判定結果が非アクティブにする判定である場合、ＭＣＥがＭＭＥを介して非アクティブにする判定をＢＭ−ＳＣに送信し、ＢＭ−ＳＣが判定を受信した後に動作を行わず、元のＭＢＭＳの送信しない状態を維持し、又はＭＣＥが判定結果をＢＭ−ＳＣに送信せず、元のＭＢＭＳの送信しない状態を維持し、
又は、
前記判定結果がアクティブにする判定である場合、ＭＣＥが、前記ＭＢＭＳをアクティブにする指示情報を対応するｅＮＢに直接送信し、ｅＮＢが前記アクティブにする指示情報を受信した後、無線インターフェースで対応するＭＢＭＳデータを送信することを開始し、前記判定結果が非アクティブにする判定である場合、ＭＣＥが、前記ＭＢＭＳを非アクティブにする指示情報を対応するｅＮＢに送信し、又は任意の情報を送信せず、ｅＮＢが無線インターフェースで前記ＭＢＭＳデータを送信しないことである。
【００６６】
前記ネットワーク側が、ＭＢＭＳの判定結果に応じて、前記ＭＢＭＳをアクティブ又は非アクティブにする動作を行うことは、ＭＣＥがＭＢＭＳの判定結果を記憶し、ＢＭ−ＳＣが前記ＭＢＭＳのＭＢＭＳセッション開始プロセスを開始する時、前記ＭＣＥが、記憶された前記判定結果に応じて、前記ＭＢＭＳの搬送を確立するか、又は当該ＭＢＭＳの搬送を拒否することである。
【００６７】
本発明に係るＭＢＭＳ制御方法及びシステムは、ネットワーク側が、ＵＥからのアップリンクフィードバック情報を処理し、前記処理結果に応じて、ＭＢＭＳをアクティブ又は非アクティブにする判定を行い、ネットワーク側が、前記判定結果に応じて、前記ＭＢＭＳをアクティブ又は非アクティブにする動作を行う。本発明は、ＵＥからのアップリンクフィードバック情報に応じてＭＢＭＳをアクティブ又は非アクティブにする制御を行うことができ、それによってシステムの効率を向上させることができる。
【図面の簡単な説明】
【００６８】
【図１】従来のＭＢＳＦＮエリアの論理構成を示す図である。
【図２】従来のＭＢＭＳ制御システムの構成を示す図である。
【図３】従来技術でＭＢＭＳを送信するフローチャートである。
【図４】本発明に係る実施形態におけるＭＢＭＳ制御方法のフローチャートである。
【図５】本発明に係る実施形態におけるネットワーク側がＵＥからのアップリンクフィードバック情報に応じて、対応するＭＢＭＳをアクティブ又は非アクティブにする必要があるかどうかを判定するフローチャートである。
【図６】本発明に係る他の実施形態におけるネットワーク側がＵＥからのアップリンクフィードバック情報に応じて、対応するＭＢＭＳをアクティブ又は非アクティブにする必要があるかどうかを判定するフローチャートである。
【図７】本発明に係る他の実施形態におけりネットワーク側がＵＥからのアップリンクフィードバック情報に応じて、対応するＭＢＭＳをアクティブ又は非アクティブにする必要があるかどうかを判定するフローチャートである。
【図８】本発明に係る実施形態４におけるＭＢＭＳ制御方法のフローチャートである。
【図９】本発明に係る実施形態５におけるＭＢＭＳ制御方法のフローチャートである。
【図１０】本発明に係る実施形態６におけるＭＢＭＳ制御方法のフローチャートである。
【発明を実施するための形態】
【００６９】
本発明の基本着想は、ネットワーク側が、ＵＥからのアップリンクフィードバック情報を処理し、処理結果に応じて、ＭＢＭＳをアクティブ又は非アクティブにする判定を行い、ネットワーク側が判定結果に応じて、前記ＭＢＭＳをアクティブ又は非アクティブにする動作を行うことにある。
【００７０】
図４は本発明に係る実施形態におけるＭＢＭＳ制御方法のフローチャートである。
【００７１】
ステップ４０１：ネットワーク側が、ＵＥからのアップリンクフィードバック情報を処理し、前記処理結果に応じて、ＭＢＭＳをアクティブ又は非アクティブにする判定を行う。
【００７２】
ここで、前記アップリンクフィードバック情報は、ＵＥが関与するＭＢＭＳ、ＵＥが受信中のＭＢＭＳなどであってよく、ネットワーク側の受信ネットワークエレメントは、当該ＵＥの常駐するｅＮＢである。ｅＮＢは、それによって制御されたセルのアップリンクフィードバック情報を収集し、すなわち、ｅＮＢによって収集されるアップリンクフィードバック情報は、それによって制御された複数のセルのうちに、アップリンクフィードバックに関与した１つ以上のＵＥからのものである。
【００７３】
ステップ４０２：ネットワーク側が、前記判定結果に応じて、前記ＭＢＭＳをアクティブ又は非アクティブにする動作を行う。
【００７４】
ステップ４０１は、具体的に、以下の複数の方式によって実現できる。
【００７５】
図５は本発明に係る実施形態におけるネットワーク側がＵＥからのアップリンクフィードバック情報に応じて、対応するＭＢＭＳをアクティブ又は非アクティブにする必要があるかどうかを判定するフローチャートであり、図５に示すように、当該プロセスは、以下のステップを含む。
【００７６】
ステップ５０１：ネットワーク側のｅＮＢが、収集されたアップリンクフィードバック情報に基づいて、集計を行う。
【００７７】
ここで、ｅＮＢが、収集されたアップリンクフィードバック情報に基づいて、集計を行うことは、ＭＢＭＳに関与するＵＥの数／ＭＢＭＳを受信中のＵＥの数を集計する（最も簡単な集計方法は数えることである）ことであってよい。
【００７８】
なお、ｅＮＢにより集計されたＭＢＭＳが１つ以上あってよい。
【００７９】
ステップ５０２：ｅＮＢが前記集計結果をネットワーク側のＭＣＥに送信する。
【００８０】
一般的に、ｅＮＢの集計結果は、ＭＣＥを介してＭＣＥの運用管理およびメンテナンス（ＯＡＭ：Ｏｐｅｒａｔｉｏｎ  Ａｄｍｉｎｉｓｔｒａｔｉｏｎ  Ｍａｉｎｔｅｎａｎｃｅ）に反映されることができる。
【００８１】
ステップ５０３：ＭＣＥ又はＭＣＥのＯＡＭがｅＮＢからの集計結果に応じて、対応するＭＢＭＳをアクティブ又は非アクティブにする必要があるかどうかを判定する。
【００８２】
ＭＣＥのＯＡＭにより判定する場合、ＭＣＥがさらに集計結果を前記ＭＣＥのＯＡＭに反映させる必要もある。
【００８３】
ここで、ＭＣＥが、ｅＮＢからの集計結果に応じて、ＭＢＳＦＮエリア全体において、ＭＢＭＳをアクティブ（ａｃｔｉｖａｔｉｏｎ）又は非アクティブ（ｄｅａｃｔｉｖａｔｉｏｎ）にする判定をする。具体的に、具体的なＭＢＭＳに対して、ＭＣＥが各ｅＮＢからの前記ＭＢＭＳの集計結果を加算し、加算した値が対応する閾値以上である場合、ＭＣＥが対応するＭＢＭＳをアクティブにする必要があると判定し、生成した判定結果値が「○」又は「１」であり、当該ＭＢＭＳを送信する必要がある（ａｃｔｉｖａｔｉｏｎ）ことを示す。加算した値が対応する閾値より小さい場合、ＭＣＥが対応するＭＢＭＳを非アクティブにする必要があると判定し、生成した判定結果値が「×」又は「０」であり、当該ＭＢＭＳを送信する必要がない（ｄｅａｃｔｉｖａｔｉｏｎ）ことを示す。
【００８４】
一般的に、ＭＣＥのＯＡＭにより判定する場合、ＭＣＥのＯＡＭが判定結果をＭＣＥに返す。当該判定プロセスは、手動又はＯＡＭソフトウェアによって実現される。
【００８５】
図６は、本発明に係る他の実施形態におけるネットワーク側がＵＥからのアップリンクフィードバック情報に応じて、対応するＭＢＭＳをアクティブ又は非アクティブにする必要があるかどうかを判定するフローチャートであり、図６に示すように、当該プロセスは、以下のステップを含む。
【００８６】
ステップ６０１：ｅＮＢが、収集されたアップリンクフィードバック情報に基づいて、集計を行う。
【００８７】
ここで、ｅＮＢが、収集されたアップリンクフィードバック情報に応じて、集計を行うことは、ｅＮＢがＭＢＭＳを処理し、ＭＢＭＳに関与するＵＥの数／ＭＢＭＳを受信中のＵＥの数をカウントすることであってよい。
【００８８】
なお、ｅＮＢによって集計されたＭＢＭＳが１つ以上であってよい。
【００８９】
ステップ６０２：ｅＮＢ又はｅＮＢのＯＡＭが、前記集計結果に応じて、ＭＢＭＳをアクティブ又は非アクティブにする必要があるかどうかを予備判定を行い、そして前記ｅＮＢにより、予備判定結果をＭＣＥに送信する。
【００９０】
ｅＮＢのＯＡＭが予備判定を行う場合、ｅＮＢがさらに、前記集計結果を前記ｅＮＢのＯＡＭに反映させる必要がある。前記ｅＮＢのＯＡＭが前記集計結果に応じてＭＢＭＳをアクティブ又は非アクティブにする必要があるかどうか予備判定を行うことは、ＯＡＭソフトウェア又は手動により、前記集計結果に応じて、ＭＢＭＳをアクティブ又は非アクティブにする必要があるかどうか予備判定を行う。
【００９１】
ここで、ｅＮＢが各ＭＢＭＳに対応する集計データ（即ち当該ＭＢＭＳに関与するＵＥの数／ＭＢＭＳを受信中のＵＥの数）を対応する閾値と比較させ、集計データが閾値以上である場合、対応するＭＢＭＳをアクティブにする必要があると判定し、ｅＮＢにより生成された予備判定結果値が「○」又は「１」であり、当該ＭＢＭＳを送信する必要がある（ａｃｔｉｖａｔｉｏｎ）ことを示す。集計データが閾値より小さい場合、対応するＭＢＭＳを非アクティブにする必要があると判定し、ｅＮＢにより生成された予備判定結果値が「×」又は「０」であり、当該ＭＢＭＳを送信する必要がない（ｄｅａｃｔｉｖａｔｉｏｎ）ことを示す。
【００９２】
ステップ６０３：ＭＣＥ又はＭＣＥのＯＡＭが、ｅＮＢからの予備判定結果に応じて、最終的に対応するＭＢＭＳをアクティブ又は非アクティブにする必要があるかどうかを判定する。
【００９３】
ＭＣＥのＯＡＭにより最終的に判定する場合、ＭＣＥがさらにｅＮＢの予備判定結果を前記ＭＣＥのＯＡＭに反映させる必要もある。
【００９４】
ここで、ＭＣＥがＭＢＳＦＮエリアにおける各ｅＮＢの判定結果に応じて、ＭＢＳＦＮエリア全体においてＭＢＭＳをアクティブにする（ａｃｔｉｖａｔｉｏｎ）又は非アクティブにする（ｄｅａｃｔｉｖａｔｉｏｎ）判定をする。具体的に、具体的なＭＢＭＳに対して、ＭＣＥが、各ｅＮＢからの、前記ＭＢＭＳに関する予備判定結果に応じて、「アクティブにする必要がある」である予備判定結果のｅＮＢの数／割合が「非アクティブにする必要がある」である予備判定結果のｅＮＢの数／割合以上であると判定する場合、前記ＭＢＭＳをアクティブにする必要があると判定し、「アクティブにする必要がある」である予備判定結果のｅＮＢの数／割合が「非アクティブにする必要がある」である予備判定結果のｅＮＢの数／割合より小さいと判定する場合、前記ＭＢＭＳを非アクティブにする必要があると判定する。
【００９５】
一般的に、ＭＣＥのＯＡＭにより判定する場合、ＭＣＥのＯＡＭが最終的に判定結果をＭＣＥに送信し、当該判定プロセスが手動又はＯＡＭソフトウェアによって実現される。
【００９６】
図７は、本発明に係る他の実施形態におけるネットワーク側がＵＥからのアップリンクフィードバック情報に応じて、対応するＭＢＭＳをアクティブ又は非アクティブにする必要があるかどうかを判定するフローチャートであり、図７に示すように、当該プロセスは、以下のステップを含む。
【００９７】
ステップ７０１：ｅＮＢがＵＥからのアップリンクフィードバック情報をＭＣＥに転送する。
【００９８】
ステップ７０２：ＭＣＥが、収集されたアップリンクフィードバック情報に基づいて、集計を行う。
【００９９】
ここで、ＭＣＥが、収集されたアップリンクフィードバック情報に基づいて、集計を行う方法は、ステップ６０１においてｅＮＢが、収集されたアップリンクフィードバック情報に基づいて、集計を行う方法と類似するので、ここで、詳細な説明が不要である。
【０１００】
ステップ７０３：ＭＣＥ又はＭＣＥのＯＡＭが、前記集計結果に応じて、対応するＭＢＭＳをアクティブ又は非アクティブにする必要があるかどうかを判定する。
【０１０１】
ＭＣＥのＯＡＭにより判定する場合、ＭＣＥがさらに、ステップ７０２の集計結果を前記ＭＣＥのＯＡＭに反映させる必要もある。
【０１０２】
当該ステップは、ステップ６０２において、ｅＮＢ又はｅＮＢのＯＡＭが集計結果に応じてＭＢＭＳをアクティブ又は非アクティブにする必要があるかどうか予備判定を行う方法に類似するので、ここで、詳細な説明が不要である。
【０１０３】
明らかに、図５、図６に示されるプロセスを採用すると、ｅＮＢがＭＣＥに一回送信すればいいが、図７に示されるプロセスを採用すると、ｅＮＢがＭＣＥに複数回送信する必要があるかもしれない。
【０１０４】
ＭＢＭＳ状態の視点から、ステップ４０２を詳しく説明し、具体的に、
１）ＭＢＭＳが送信中のＭＢＭＳである場合、前記ネットワーク側が、ＭＢＭＳの判定結果に応じて、前記ＭＢＭＳをアクティブ又は非アクティブにする動作を行うことは、
前記判定結果が非アクティブにする判定である場合、ＭＣＥがＭＭＥを介して判定結果をブロードキャスト・マルチキャストサービスセンターＢＭ−ＳＣに送信し、ＢＭ−ＳＣがＭＣＥからの判定結果を受信した後、対応するＭＢＭＳのＭＢＭＳセッション停止プロセスを開始し、前記判定結果がアクティブにする判定である場合、ＭＣＥがＭＭＥを介して前記判定結果をＢＭ−ＳＣに送信し、ＢＭ−ＳＣが判定結果を受信した後に動作を行わず、又はＭＣＥが判定結果をＢＭ−ＳＣに送信せず、元のＭＢＭＳをそのまま送信し、
又は、
前記判定結果が非アクティブにする判定である場合、ＭＣＥが、ＭＢＭＳの、前記ＭＢＭＳを非アクティブにする指示情報を対応するｅＮＢに直接送信し、ｅＮＢが前記ＭＢＭＳの非アクティブにする指示情報を受信した後、無線インターフェースで対応するＭＢＭＳデータを送信することを中止し、前記判定結果がアクティブにする判定である場合、ＭＣＥが、前記ＭＢＭＳをアクティブにする指示情報を対応するｅＮＢに送信し、又は任意の情報を送信せず、ｅＮＢが無線インターフェースで対応するＭＢＭＳデータを引き続き送信することである。
【０１０５】
２）ＭＢＭＳが、すでに開始しているが現在非アクティブである状態のＭＢＭＳである場合、前記ネットワーク側が、ＭＢＭＳの判定結果に応じて、前記ＭＢＭＳをアクティブ又は非アクティブにする動作を行うことは、
前記判定結果がアクティブにする判定である場合、ＭＣＥがＭＭＥを介して前記判定結果をＢＭ−ＳＣに送信し、ＢＭ−ＳＣがＭＣＥからの判定結果を受信した後、対応するＭＢＭＳのＭＢＭＳセッション開始プロセスを開始し、前記判定結果が非アクティブにする判定である場合、ＭＣＥがＭＭＥを介して非アクティブにする判定をＢＭ−ＳＣに送信し、ＢＭ−ＳＣが判定を受信した後に動作を行わず、元のＭＢＭＳの送信しない状態を維持し、又はＭＣＥが判定結果をＢＭ−ＳＣに送信せず、元のＭＢＭＳの送信しない状態を維持し、
又は、
前記判定結果がアクティブにする判定である場合、ＭＣＥが、前記ＭＢＭＳをアクティブにする指示情報を対応するｅＮＢに直接送信し、ｅＮＢが前記アクティブにする指示情報を受信した後、無線インターフェースで対応するＭＢＭＳデータを送信することを開始し、前記判定結果が非アクティブにする判定である場合、ＭＣＥが、前記ＭＢＭＳを非アクティブにする指示情報を対応するｅＮＢに送信し、又は任意の情報を送信せず、ｅＮＢが無線インターフェースで前記ＭＢＭＳデータを送信しないことである。
【０１０６】
３）ＭＢＭＳが、開始していないＭＢＭＳである場合、前記ネットワーク側が、ＭＢＭＳの判定結果に応じて、前記ＭＢＭＳをアクティブ又は非アクティブにする動作を行うことは、
ＭＣＥがＭＢＭＳの判定結果を記憶し、ＢＭ−ＳＣが前記ＭＢＭＳのＭＢＭＳセッション開始プロセスを開始する時、前記ＭＣＥが、記憶された前記判定結果に応じて、前記ＭＢＭＳの搬送を確立するか、又は当該ＭＢＭＳの搬送を拒否することである。
【０１０７】
なお、本発明に記載されたアクティブにすることは次の１つ以上の意味を示すかもしれない。１．開始していないＭＢＭＳ（即ち当該ＭＢＭＳが一度も送信されず、又は、当該ＭＢＭＳに対してセッション開始を一度も行わない）を送信することを準備する。２．送信中のＭＢＭＳが引き続き送信される。３．送信したが非アクティブにするＭＢＭＳが、再送信される。本発明に記載された非アクティブにすることは、次の１つ以上の意味を示すかもしれない。１．開始していないＭＢＭＳが送信されない。２．送信中のＭＢＭＳの送信が中止される。３．送信したが非アクティブにするＭＢＭＳが依然として送信されない。
【０１０８】
本発明に係るＭＢＭＳ制御システムは、ネットワーク側とＵＥを含み、ここで、
前記ネットワーク側は、ＵＥからのアップリンクフィードバック情報を処理し、前記処理結果に応じてＭＢＭＳをアクティブ又は非アクティブにする判定を行うように構成される。
【０１０９】
前記ネットワーク側は、ｅＮＢ、ＭＣＥを含み、ここで、
前記ｅＮＢは、収集されたアップリンクフィードバック情報に基づいて、集計を行い、集計結果をＭＣＥに送信するように構成され、
前記ＭＣＥは、前記ｅＮＢからの集計結果に応じて、対応するＭＢＭＳをアクティブ又は非アクティブにする必要があるかどうかを判定するように構成される。
【０１１０】
前記ネットワーク側は、ｅＮＢ、ＭＣＥ、ＭＣＥのＯＡＭを含み、ここで、
前記ｅＮＢは、収集されたアップリンクフィードバック情報に基づいて、集計を行い、集計結果をＭＣＥに送信するように構成され、
前記ＭＣＥは、前記集計結果を前記ＭＣＥのＯＡＭに反映させるようにさらに構成され、
前記ＭＣＥのＯＡＭは、前記ｅＮＢからの集計結果に応じて、対応するＭＢＭＳをアクティブ又は非アクティブにする必要があるかどうかを判定するように構成される。
【０１１１】
前記ネットワーク側は、ｅＮＢ、ＭＣＥを含み、ここで、
前記ｅＮＢは、収集されたアップリンクフィードバック情報に基づいて、集計を行い、及び、前記集計結果に応じてＭＢＭＳをアクティブ又は非アクティブにする必要があるかどうか予備判定を行い、予備判定結果をＭＣＥに送信するように構成され、
前記ＭＣＥは、ｅＮＢからの予備判定結果に応じて、対応するＭＢＭＳをアクティブ又は非アクティブにする必要があるかどうかを最終的に判定するように構成される。
【０１１２】
前記ネットワーク側は、ｅＮＢ、ｅＮＢのＯＡＭ、ＭＣＥを含み、ここで、
前記ｅＮＢは、収集されたアップリンクフィードバック情報に基づいて、集計を行い、前記集計結果を前記ｅＮＢのＯＡＭに送信するように構成され、
前記ｅＮＢのＯＡＭは、前記集計結果に応じてＭＢＭＳをアクティブ又は非アクティブにする必要があるかどうか予備判定を行い、前記ｅＮＢを介して予備判定結果をＭＣＥに送信するように構成され、
前記ＭＣＥは、ｅＮＢからの予備判定結果に応じて、最終的に対応するＭＢＭＳをアクティブ又は非アクティブにする必要があるかどうかを判定するように構成される。
【０１１３】
前記ネットワーク側は、ｅＮＢ、ＭＣＥ、ＭＣＥのＯＡＭを含み、ここで、
前記ｅＮＢは、収集されたアップリンクフィードバック情報に基づいて、集計を行い、前記集計結果に応じてＭＢＭＳをアクティブ又は非アクティブにする必要があるかどうか予備判定を行い、予備判定結果をＭＣＥに送信するように構成され、
前記ＭＣＥは、ｅＮＢの予備判定結果を前記ＭＣＥのＯＡＭに反映させるように構成され、
前記ＭＣＥのＯＡＭは、ｅＮＢからの予備判定結果に応じて、最終的に対応するＭＢＭＳをアクティブ又は非アクティブにする必要があるかどうかを判定するように構成される。
【０１１４】
前記ネットワーク側は、ｅＮＢ、ＭＣＥを含み、ここで、
前記ｅＮＢは、ＵＥからのアップリンクフィードバック情報をＭＣＥに転送するように構成され、
前記ＭＣＥは、収集されたアップリンクフィードバック情報に基づいて、集計を行い、前記集計結果に応じて、対応するＭＢＭＳをアクティブ又は非アクティブにする必要があるかどうかを判定するように構成される。
【０１１５】
前記ネットワーク側は、ｅＮＢ、ＭＣＥ、ＭＣＥのＯＡＭを含み、ここで、
前記ｅＮＢは、ＵＥからのアップリンクフィードバック情報をＭＣＥに転送するように構成され、
前記ＭＣＥは、収集されたアップリンクフィードバック情報に基づいて、集計を行い、前記集計結果をＭＣＥのＯＡＭに反映させるように構成され、
前記ＭＣＥのＯＡＭは、前記集計結果に応じて、対応するＭＢＭＳをアクティブ又は非アクティブにする必要があるかどうかを判定するように構成される。
【０１１６】
本発明に係るＭＢＭＳ制御システムは、ＭＢＭＳの判定結果に応じて前記ＭＢＭＳをアクティブ又は非アクティブにする動作を行うように構成される。
【０１１７】
当該システムは、具体的に、ＭＣＥ、ＭＭＥ、ＢＭ−ＳＣを含み、ここで、
前記ＭＣＥは、ＭＭＥを介して判定結果をＢＭ−ＳＣに送信し、又は、判定結果をＢＭ−ＳＣに送信しないように構成され、
前記ＢＭ−ＳＣは、前記ＭＣＥからの判定結果を受信した後、前記ＭＢＭＳのＭＢＭＳセッション停止プロセスを開始し、又は、動作を行わないように構成される。
【０１１８】
当該システムは、具体的に、ＭＣＥ、ｅＮＢを含み、ここで、
前記ＭＣＥは、判定結果に応じて、対応するｅＮＢに指示情報を直接送信する又は指示情報を送信しないように構成され、
前記ｅＮＢは、前記指示情報に応じて、対応する動作を行う又は動作を行わないように構成される。
【０１１９】
当該システムは、具体的に、ＭＣＥ、ＢＭ−ＳＣを含み、ここで、
前記ＭＣＥは、ＭＢＭＳの判定結果を記憶し、ＢＭ−ＳＣが前記ＭＢＭＳのＭＢＭＳセッション開始プロセスを開始する時に、記憶された前記判定結果に応じて、前記ＭＢＭＳの搬送を確立するか、又は当該ＭＢＭＳの搬送を拒否するように構成される。
【０１２０】
本発明に係るＭＢＭＳ制御システムは、ネットワーク側とＵＥを含み、ここで、
前記ネットワーク側は、ＵＥからのアップリンクフィードバック情報を処理し、処理結果に応じてＭＢＭＳをアクティブ又は非アクティブにする判定を行い、及び、判定結果に応じて前記ＭＢＭＳをアクティブ又は非アクティブにする動作を行うように構成される。
【０１２１】
前記ネットワーク側は、ＵＥからのアップリンクフィードバック情報を処理し、処理結果に応じてＭＢＭＳをアクティブ又は非アクティブにする判定を行うことは、
ｅＮＢが、収集されたアップリンクフィードバック情報に基づいて、集計を行い、集計結果をマルチセル／マルチキャスト協調エンティティＭＣＥに送信し、ＭＣＥが前記ｅＮＢからの集計結果に応じて、対応するＭＢＭＳをアクティブ又は非アクティブにする必要があるどうかを判定するか、又は、ＭＣＥが、さらに、前記集計結果を前記ＭＣＥのＯＡＭに反映させ、前記ＭＣＥのＯＡＭにより、前記ｅＮＢからの集計結果に応じて、対応するＭＢＭＳをアクティブ又は非アクティブにする必要があるどうかを判定し、
又は、ｅＮＢが、収集されたアップリンクフィードバック情報に基づいて、集計を行い、ｅＮＢが、前記集計結果に応じて、ＭＢＭＳをアクティブ又は非アクティブにする必要があるかどうか予備判定を行い、又は、ｅＮＢがさらに、前記集計結果を前記ｅＮＢのＯＡＭに反映させ、前記ｅＮＢのＯＡＭにより、前記集計結果に応じて、ＭＢＭＳをアクティブ又は非アクティブにする必要があるかどうか予備判定を行い、そして前記ｅＮＢにより、予備判定結果をＭＣＥに送信し、ＭＣＥがｅＮＢからの予備判定結果に応じて、最終的に対応するＭＢＭＳをアクティブ又は非アクティブにする必要があるかどうかを判定するか、又は、ＭＣＥが、さらに、ｅＮＢの予備判定結果を前記ＭＣＥのＯＡＭに反映させ、前記ＭＣＥのＯＡＭにより、ｅＮＢからの予備判定結果に応じて、最終的にＭＢＭＳをアクティブ又は非アクティブにする必要があるかどうかを判定し、
又は、ｅＮＢがＵＥからのアップリンクフィードバック情報をＭＣＥに転送し、ＭＣＥが、収集されたアップリンクフィードバック情報に基づいて、集計を行い、ＭＣＥが、前記集計結果に応じて、対応するＭＢＭＳをアクティブ又は非アクティブにする必要があるかどうかを判定するか、又は、ＭＣＥが、さらに、集計結果を前記ＭＣＥのＯＡＭに反映させ、前記ＭＣＥのＯＡＭにより、前記集計結果に応じて、対応するＭＢＭＳをアクティブ又は非アクティブにする必要があるかどうかを判定することである。
【０１２２】
前記ネットワーク側が、ＭＢＭＳの判定結果に応じて、前記ＭＢＭＳをアクティブ又は非アクティブにする動作を行うことは、前記判定結果が非アクティブにする判定である場合、ＭＣＥがＭＭＥを介して判定結果をブロードキャスト・マルチキャストサービスセンターＢＭ−ＳＣに送信し、ＢＭ−ＳＣが前記ＭＣＥからの判定結果を受信した後、前記ＭＢＭＳのＭＢＭＳセッション停止プロセスを開始し、前記判定結果がアクティブにする判定である場合、ＭＣＥがＭＭＥを介して前記判定結果をＢＭ−ＳＣに送信し、ＢＭ−ＳＣが判定結果を受信した後に動作を行わず、又はＭＣＥが判定結果をＢＭ−ＳＣに送信せず、元のＭＢＭＳをそのまま送信し、
又は、
前記判定結果が非アクティブにする判定である場合、ＭＣＥが、ＭＢＭＳの、前記ＭＢＭＳを非アクティブにする指示情報を対応するｅＮＢに直接送信し、ｅＮＢが前記ＭＢＭＳの非アクティブにする指示情報を受信した後、無線インターフェースで対応するＭＢＭＳデータを送信することを中止し、前記判定結果がアクティブにする判定である場合、ＭＣＥが、前記ＭＢＭＳをアクティブにする指示情報を対応するｅＮＢに送信し、又は任意の情報を送信せず、ｅＮＢが、無線インターフェースで対応するＭＢＭＳデータを引き続き送信することである。
【０１２３】
前記ネットワーク側が、ＭＢＭＳの判定結果に応じて、前記ＭＢＭＳをアクティブ又は非アクティブにする動作を行うことは、
前記判定結果がアクティブにする判定である場合、ＭＣＥがＭＭＥを介して前記判定結果をＢＭ−ＳＣに送信し、ＢＭ−ＳＣがＭＣＥからの判定結果を受信した後、対応するＭＢＭＳのＭＢＭＳセッション開始プロセスを開始し、前記判定結果が非アクティブにする判定である場合、ＭＣＥがＭＭＥを介して非アクティブにする判定をＢＭ−ＳＣに送信し、ＢＭ−ＳＣが判定を受信した後に動作を行わず、元のＭＢＭＳの送信しない状態を維持し、又はＭＣＥが判定結果をＢＭ−ＳＣに送信せず、元のＭＢＭＳの送信しない状態を維持し、
又は、
前記判定結果がアクティブにする判定である場合、ＭＣＥが、前記ＭＢＭＳをアクティブにする指示情報を対応するｅＮＢに直接送信し、ｅＮＢが前記アクティブにする指示情報を受信した後、無線インターフェースで対応するＭＢＭＳデータを送信することを開始し、前記判定結果が非アクティブにする判定である場合、ＭＣＥが、前記ＭＢＭＳを非アクティブにする指示情報を対応するｅＮＢに送信し、又は任意の情報を送信せず、ｅＮＢが無線インターフェースで前記ＭＢＭＳデータを送信しないことである。
【０１２４】
前記ネットワーク側がＭＢＭＳの判定結果に応じて前記ＭＢＭＳをアクティブ又は非アクティブにする動作を行うことは、ＭＣＥがＭＢＭＳの判定結果を記憶し、ＢＭ−ＳＣが前記ＭＢＭＳのＭＢＭＳセッション開始プロセスを開始する時に、前記ＭＣＥが、記憶された前記判定結果に応じて、前記ＭＢＭＳの搬送を確立するか、又は当該ＭＢＭＳの搬送を拒否することである。
【０１２５】
以下、具体的な実施形態を合わせて、本発明の技術案をさらに詳しく説明する。
【０１２６】
実施形態１
本実施形態において、ＭＢＳＦＮエリアは、３つのｅＮＢ（ｅＮＢ−Ａ、ｅＮＢ−Ｂ、ｅＮＢ−Ｃ）からなり、ｅＮＢ−Ａには、アップリンクフィードバック可能な２つのＵＥ（ＵＥ１、ＵＥ２）があり、ｅＮＢ−Ｂには、アップリンクフィードバック可能な３つのＵＥ（ＵＥ３、ＵＥ４、ＵＥ５）があり、ｅＮＢ−Ｃには、アップリンクフィードバック可能な４つのＵＥ（ＵＥ６、ＵＥ７、ＵＥ８、ＵＥ９）があり、ネットワーク側により、ＭＢＳＦＮエリアにおける全てのアップリンクフィードバック可能なＵＥがＭＢＭＳ１に対してフィードバックするようにさせ、即ち、アップリンクフィードバック可能なＵＥがＭＢＭＳ１に関与する場合／ＭＢＭＳ１を受信中の場合、フィードバックを行う。本実施形態において、ｅＮＢ―ＡにおけるＵＥ１がフィードバックを行い、ｅＮＢ―ＢにおけるＵＥ３、ＵＥ４がフィードバックを行い、ｅＮＢ―ＣにおけるＵＥ６、ＵＥ７、ＵＥ８がフィードバックを行う。
ｅＮＢ―Ａ、ｅＮＢ―Ｂ、ｅＮＢ―Ｃが、収集されたＵＥのフィードバック情報に基づいて、処理を行い、つまり、ｅＮＢ―Ａ、ｅＮＢ―Ｂ、ｅＮＢ―Ｃが、フィードバックされたＵＥの数に従って集計を行い、即ち、ＭＢＭＳ１に対しては、ｅＮＢ―Ａによって集計された関与するＵＥの数／受信中のＵＥの数が１であり、ｅＮＢ―Ｂによって集計された関与するＵＥの数／受信中のＵＥの数が２であり、ｅＮＢ―Ｃによって集計された関与するＵＥの数／受信中のＵＥの数が３であり、これは各ｅＮＢの集計結果であり、３つのｅＮＢが集計された結果をＭＣＥに送信する。
【０１２７】
ＭＣＥがｅＮＢからの集計結果を受信し、ＭＢＳＦＮエリア全体において、ＭＢＭＳをアクティブにする（ａｃｔｉｖａｔｉｏｎ）又は非アクティブにする（ｄｅａｃｔｉｖａｔｉｏｎ）判定をする。具体的に、ＭＣＥが３つのｅＮＢから取得された集計結果を組み合わせ、本実施形態では加算して和を求めることを例として、即ち、ＭＣＥが、ＭＢＭＳ１に関与するＵＥ／ＭＢＭＳ１を受信中のＵＥが６つあることを取得し、この値が閾値より大きい場合、ＭＣＥがＭＢＭＳ１をアクティブにする判定をして、この値が閾値より大きくない場合、当該サービスを非アクティブにする判定をする。もう１つの方式では、ＭＣＥが各ｅＮＢから取得された集計結果をＭＣＥのＯＡＭに反映させ、ＭＣＥのＯＡＭにより、集計結果に応じてＭＢＭＳを判定し（当該判定プロセスは手動又はＯＡＭソフトウェアによって実現され、実現プロセスに属する）、それによって、ＭＢＭＳの判定結果（アクティブ又は非アクティブにする）を生成する。
【０１２８】
実施形態２
本実施形態において、ＭＢＳＦＮエリアは３つのｅＮＢ（ｅＮＢ―Ａ、ｅＮＢ―Ｂ、ｅＮＢ―Ｃ）からなり、ｅＮＢ―Ａには、アップリンクフィードバック可能な２つのＵＥ（ＵＥ１、ＵＥ２）があり、ｅＮＢ―Ｂには、アップリンクフィードバック可能な３つのＵＥ（ＵＥ３、ＵＥ４、ＵＥ５）があり、ｅＮＢ―Ｃには、アップリンクフィードバック可能な４つのＵＥ（ＵＥ６、ＵＥ７、ＵＥ８、ＵＥ９）があり、ネットワーク側により、ＭＢＳＦＮエリアにおける全てのアップリンクフィードバック可能なＵＥがＭＢＭＳ１に対してフィードバックするようにさせ、即ち、アップリンクフィードバック可能なＵＥがＭＢＭＳ１に関与する／ＭＢＭＳ１を受信中の場合、フィードバックを行う。本実施形態において、ｅＮＢ―ＡにおけるＵＥ１がフィードバックを行い、ｅＮＢ―ＢにおけるＵＥ３、ＵＥ４がフィードバックを行い、ｅＮＢ―ＣにおけるＵＥ６、ＵＥ７、ＵＥ８がフィードバックを行う。
【０１２９】
ｅＮＢ―Ａ、ｅＮＢ―Ｂ、ｅＮＢ―Ｃが、収集されたＵＥのフィードバック情報に基づいて、処理を行い、つまり、ｅＮＢ―Ａ、ｅＮＢ―Ｂ、ｅＮＢ―Ｃが、フィードバックされたＵＥの数に従って集計を行い、即ち、ＭＢＭＳ１に対しては、ｅＮＢ―Ａによって集計された関与するＵＥの数／受信中のＵＥの数が１であり、ｅＮＢ―Ｂによって集計された関与するＵＥの数／受信中のＵＥの数が２であり、ｅＮＢ―Ｃによって集計された関与するＵＥの数／受信中のＵＥの数が３であり、これは各ｅＮＢの集計結果であり、その後、各ｅＮＢがＭＢＭＳを判定する。判定とは、次の方法のうちの１つを指す。方法１では、各ｅＮＢが集計結果をＭＢＭＳに対応する閾値と比較して判定し、閾値より大きい場合、ｅＮＢが「○」又は「１」を生成し、当該ＭＢＭＳが送信される必要がある（ａｃｔｉｖａｔｉｏｎ）ことを示し、閾値より大きくない場合、ｅＮＢが「×」又は「０」を生成し、当該ＭＢＭＳが送信される必要がない（ｄｅａｃｔｉｖａｔｉｏｎ）ことを示す。本実施形態では、ｅＮＢ１により、「×」を生成することを判定し、ｅＮＢ２により、「○」を生成することを判定し、ｅＮＢ３により、「○」を生成することを判定することを例として、その後、各ｅＮＢが判定の結果をＭＣＥに送信する。方法２では、ｅＮＢのＯＡＭにより、ＭＢＭＳの判定を行い、ＭＢＭＳの判定結果を生成し、ＭＣＥに送信する。
【０１３０】
ＭＣＥがｅＮＢからの集計結果を受信し、ＭＢＳＦＮエリア全体においてＭＢＭＳをアクティブにする（ａｃｔｉｖａｔｉｏｎ）又は非アクティブにする（ｄｅａｃｔｉｖａｔｉｏｎ）判定をする。具体的に、ＭＣＥが３つのｅＮＢから取得された集計結果を組み合わせ、本実施形態では割合の集計を例として、即ちＭＣＥが、ＭＢＭＳ１を「○」と判定したｅＮＢが共に６６％（２を３で割る）あることを取得し、「○」と判定したｅＮＢが単純多数（即ち５０％より大きい）である場合、ＭＣＥがＭＢＭＳ１をアクティブにする判定をする。もう１つの方式で、ＭＣＥが各ｅＮＢから取得された集計結果をＭＣＥのＯＡＭに反映させ、ＭＣＥのＯＡＭにより、ｅＮＢ判定結果に応じてＭＢＭＳを判定し（当該判定プロセスは手動又はＯＡＭソフトウェアによって実現され、実現プロセスに属する）、それによってＭＢＭＳの判定結果（アクティブにする又は非アクティブにする）を生成する。
【０１３１】
実施形態３
本実施形態において、ＭＢＳＦＮエリアは、３つのｅＮＢ（ｅＮＢ―Ａ、ｅＮＢ―Ｂ、ｅＮＢ―Ｃ）からなり、ｅＮＢ―Ａには、アップリンクフィードバック可能な２つのＵＥ（ＵＥ１、ＵＥ２）があり、ｅＮＢ―Ｂには、アップリンクフィードバック可能な３つのＵＥ（ＵＥ３、ＵＥ４、ＵＥ５）があり、ｅＮＢ―Ｃには、アップリンクフィードバック可能な４つのＵＥ（ＵＥ６、ＵＥ７、ＵＥ８、ＵＥ９）があり、ネットワーク側により、ＭＢＳＦＮエリアにおける全てのアップリンクフィードバック可能なＵＥがＭＢＭＳ１に対してフィードバックするようにさせ、即ち、アップリンクフィードバック可能なＵＥがＭＢＭＳ１に関与する／ＭＢＭＳ１を受信中の場合、フィードバックを行う。本実施形態において、ｅＮＢ―ＡにおけるＵＥ１がフィードバックを行い、ｅＮＢ―ＢにおけるＵＥ３、ＵＥ４がフィードバックを行い、ｅＮＢ―ＣにおけるＵＥ６、ＵＥ７、ＵＥ８がフィードバックを行う。
【０１３２】
ｅＮＢがＵＥからアップリンクフィードバック情報を受信し、処理せず、ＭＣＥに直接送信し、ＭＣＥが、ｅＮＢによって転送された、ＵＥからのアップリンクフィードバック情報を受信する。
【０１３３】
ＭＣＥがＭＢＳＦＮエリアにおけるｅＮＢ（本実施形態ではｅＮＢ―Ａ、ｅＮＢ―Ｂ、ｅＮＢ―Ｃ）によって転送されたＵＥ（本実施形態ではＵＥ１、ＵＥ３、ＵＥ４、ＵＥ６、ＵＥ７、ＵＥ８）のアップリンクフィードバック情報を収集し、そして次の方法のうちの１つを用いて集計判定を行う。方法１では、ＭＣＥがアップリンクフィードバック情報を集計し、本実施形態では加算して合計を求めることを例として、合計を求める結果がＭＢＭＳ１に対応する当該ＭＢＭＳに関与するＵＥの数／ＭＢＭＳを受信中のＵＥの数であり、本実施形態において合計を求める結果が６であり、ＭＣＥが集計結果（本実施形態では集計結果が６であり）をＭＢＭＳに対応する閾値と比較して判定し、閾値より大きい場合、アクティブ（当該ＭＢＭＳが送信される必要がある）であると判定し、閾値より大きくない場合、非アクティブであると判定する。方法２では、ＭＣＥがアップリンクフィードバック情報を集計し（集計方法が方法１のようなものである）、集計結果をＭＣＥのＯＡＭに反映させ、ＭＣＥのＯＡＭにより、集計結果に応じてＭＢＭＳを判定し（当該判定プロセスは手動又はＯＡＭソフトウェアによって実現され、実現プロセスに属する）、それによってＭＢＭＳをアクティブ又は非アクティブにする判定結果を生成する。
【０１３４】
実施形態４
本実施形態では、ＭＢＭＳ２を例として、ＭＢＭＳ２の状態が送信中（ｏｎｇｏｉｎｇ  ＭＢＭＳ）であり、且つＭＣＥが既にＭＢＭＳ２に対する判定結果（即ち、アクティブ又は非アクティブにするの判定）をした。
【０１３５】
ＭＣＥの判定結果が非アクティブにするという結果である場合、ＭＣＥがＭＭＥを介して当該判定をＢＭ−ＳＣに送信し、ＢＭ−ＳＣが非アクティブにする判定結果を受信した後、ＭＢＭＳ２を非アクティブにするプロセス、即ちＭＢＭＳセッション停止プロセスをトリガーする。図８は本発明に係る実施形態４におけるＭＢＭＳ制御方法のフローチャートであり、図８に示すように、ＭＣＥの判定結果がアクティブにするという結果である場合、この時、２つの処理方式がある。処理方式ａでは、ＭＭＥを介してアクティブにする判定をＢＭ−ＳＣに送信し、ＢＭ−ＳＣが判定を受信した後に動作を行わず、元のＭＢＭＳ２をそのまま送信する。処理方式ｂでは、判定結果をＢＭ−ＳＣに送信せず、元のＭＢＭＳ２の送信を維持する。
【０１３６】
実施形態５
本実施形態では、ＭＢＭＳ２を例として、ＭＢＭＳ２の状態が、開始していないＭＢＭＳ（即ち当該ＭＢＭＳが一度も送信されなく、又はＭＢＭＳがセッション開始を一度も行わない）であり、且つＭＣＥが既にＭＢＭＳ２に対する判定結果（即ち、アクティブ又は非アクティブにする判定）をした。
図９は本発明に係る実施形態５のＭＢＭＳ制御方法のフローチャートであり、図９に示すように、ＭＣＥが判定結果を保留し、ＢＭ−ＳＣがＭＢＭＳセッション開始プロセスを開始する時に、ＭＣＥが判定結果に応じて、当該ＭＢＭＳを搬送（アクティブにする）する又は搬送しない（非アクティブにする）ことを選択し、つまり、ＭＣＥの判定がアクティブにするということである場合、ＭＣＥがＢＭ−ＳＣによって送信されたＭＢＭＳセッション開始プロセスを引き続き行い、ＭＣＥの判定が非アクティブにするということである場合、ＭＣＥがＢＭ−ＳＣを拒否する。
【０１３７】
実施形態６
本実施形態では、ＭＢＭＳ２を例として、ＭＢＭＳ２の状態が送信中（ｏｎｇｏｉｎｇ  ＭＢＭＳ）であり、且つＭＣＥが既にＭＢＭＳ２に対する判定結果（即ち、アクティブにする又は非アクティブにするの判定）をした。
【０１３８】
図１０は本発明に係る実施形態６におけるＭＢＭＳ制御方法のフローチャートであり、図１０に示すように、ＭＣＥの判定結果が非アクティブにするということである場合、ＭＣＥが当該ＭＢＭＳの送信を中止する指示をｅＮＢに直接送信し、ｅＮＢにとって、ＭＣＥから、当該ＭＢＭＳの送信を中止する指示を受信した後、無線インターフェースでＭＢＭＳを再送信しない。ＭＣＥの判定結果がアクティブにする（即ち当該ＭＢＭＳの送信を引き続く）ということである場合、ＭＣＥが当該ＭＢＭＳを引き続き送信する指示情報をｅＮＢに送信する又は任意の情報も送信しない。ｅＮＢにとって、無線インターフェースで当該ＭＢＭＳデータを引き続き送信する。
【０１３９】
さらに、本実施形態ではＭＣＥがＢＭ−ＳＣに通知しない。ＢＭ−ＳＣ又はＭＢＭＢ−ＧＷから見ると、ｅＮＢが依然としてＭＢＭＳデータを受信しており、且つ無線インターフェースで送信する。
【０１４０】
以上の説明は、本発明の好適な実施形態に過ぎず、本発明を限定するものではない。
【図３】
0005605734.tif 000002
【図４】
0005605734.tif 000003
【図５】
0005605734.tif 000004
【図６】
0005605734.tif 000005
【図７】
0005605734.tif 000006
【図８】
0005605734.tif 000007
【図９】
0005605734.tif 000008
【図１０】
0005605734.tif 000009
【図１】
0005605734.tif 000010
【図２】
0005605734.tif 000011